(57)【特許請求の範囲】
【請求項１】
原稿を読み取ってその画像データを得る読取手段を有し、該読取手段によって
得られた画像データを外部機器に対して送信可能な画像出力処理装置において、
該画像出力処理装置の管理エリア内に入った応答器と無線通信することで、この応答器に格納されるＩＤ番号を確認する質問器と、
上記読取手段によって原稿の読み取りが行なわれている時に、この読み込みによって得られた画像データと、この時、上記質問器によって確認されたＩＤ番号とを対応させて記憶管理する記憶管理手段と、
上記読取手段によって得られた画像データを送信する際の送信先となる各外部機器と、各外部機器毎に設定されているＩＤ番号とを対応させて格納している送信先ＩＤ格納手段とを有し、
上記読取手段によって得られた画像データを外部機器に対して送信する場合に、該記憶管理手段に記憶管理されているＩＤ番号と同一のＩＤ番号を有する外部機器を上記送信先ＩＤ格納手段に格納される情報に基づいて確認し、確認された外部機器を上記画像データの送信先として送信を行なう送信制御手段とを備えていることを特徴とする画像出力処理装置。
【請求項２】
上記送信制御手段は、画像データを外部機器に対して送信する際に、該画像データに対応するＩＤ番号を送信先の外部機器に対して、共に送信することを特徴とする請求項１に記載の画像出力処理装置。
【請求項３】
上記送信制御手段は、上記ＩＤ番号に基づいて画像データの送信先を確定する送信モード以外に、ユーザの入力指示に基づいて任意の外部機器を送信先として設定可能な送信モードを有することを特徴とする請求項１または２の何れかに記載の画像出力処理装置。
【請求項４】
上記送信制御手段は、外部機器からの画像データの送信要求に応じて画像データを送信可能であり、上記送信要求に応じて画像データを送信する場合には、送信要求を行なった外部機器のＩＤ番号と、送信要求された画像データのＩＤ番号とが一致する場合のみ画像データを送信することを特徴とする請求項１ないし３の何れかに記載の画像出力処理装置。
【請求項５】
さらに、表示部を備え、
上記表示部は、画像データを外部機器に対して送信する際に、該画像データに対応するＩＤ番号に基づいて送信先の外部機器が確定すると、該外部機器の情報を表示することを特徴とする請求項１ないし４の何れかに記載の画像出力処理装置。
【請求項６】
さらに、表示部を備え、
上記表示部は、上記質問器が複数のＩＤ番号を同時に確認した場合に、これらに対応する全ての送信先の外部機器を選択可能に表示することを特徴とする請求項１ないし５の何れかに記載の画像出力処理装置。
【請求項７】
上記記憶管理手段は、上記質問器にて確認されたＩＤ番号がその後確認できなくなった段階で、そのＩＤ番号を、画像データと共に記憶管理するＩＤ番号として確定し、
上記送信制御手段は、読取手段によって得られた画像データを外部機器に対して送信する場合に、上記記憶管理手段により確定されたＩＤ番号と同一のＩＤ番号を有する外部機器を上記送信先ＩＤ格納手段に格納される情報に基づいて確認し、確認された外部機器を上記画像データの送信先として送信を行なうことを特徴とする請求項１に記載の画像出力処理装置。
【請求項８】
上記記憶管理手段は、上記質問器が複数のＩＤ番号を確認した場合、それらＩＤ番号のうち、その後確認できなくなったＩＤ番号を、画像データと共に記憶管理するＩＤ番号として確定し、
上記送信制御手段は、読取手段によって得られた画像データを外部機器に対して送信する場合に、上記記憶管理手段により確定されたＩＤ番号と同一のＩＤ番号を有する外部機器を上記送信先ＩＤ格納手段に格納される情報に基づいて確認し、確認された外部機器を上記画像データの送信先として送信を行なうことを特徴とする請求項１に記載の画像出力処理装置。
【発明の詳細な説明】
【技術分野】
【０００１】
本発明は、ネットワーク通信装置を介してパーソナルコンピュータ（以下、パソコンと略記）などの外部機器に対して接続され、外部機器から指示されたプリントジョブを受け入れて、画像出力部からプリントジョブに対する画像を出力処理したり、スキャナなどの入力部から入力された原稿画像情報を外部機器に送信する画像出力処理装置に関するものである。
【背景技術】
【０００２】
文書画像を電子的に読み取り、この読み取られた電子画像データに対して所定の処理を施した後、電子写真記録部において光走査記録を行い画像として記録再現する装置が、例えばデジタル複写機として商品化されている。
【０００３】
また、最近では電子的に読み取られた画像データを半導体メモリに蓄積させておき、デジタル処理特有の特徴を付加して商品価値を向上させた複写機も市場に登場している。
【０００４】
デジタル複写機市場では、半導体メモリの容量を増大させて多くの文書を効率良く処理させることのできるシステムとして提供したり、ファクシミリ、プリンタ等といった、機能を一体化した複合デジタル機として商品を展開している。
【０００５】
このようなデジタル複写機を用いて、膨大な量の文書をスキャナ部から入力して一度に処理しようとしたり、また、ネットワーク環境下において、パソコンなどで作成された大量の文書データを受け取り処理しようとしたりすると、装置に搭載されている半導体メモリでは一度に処理できる能力に限界があるため、時によっては処理できない状況が発生することも考えられる。
【０００６】
そこで、最近では、ハードディスク装置などの大容量の外部記憶装置を新たに搭載させ、ハードディスク装置単体、あるいは半導体メモリとの組み合わせにより、今まで以上の画像データを一括処理することができるようにしたデジタル複写機がある。
【０００７】
さらに、最近のデジタル複写機は、画像情報をプリンタ部から出力するだけにとどまらず、搭載されているスキャナ部を用いて原稿の画像情報を読み取り、この画像情報をネットワーク通信装置を介してパソコン等の外部機器に送信するスキャナモードを備えた装置としても提供されている。
【０００８】
上記スキャナモード時には、スキャナ部において読み取られた原稿の画像情報をパソコン等の外部機器に対して送信するために、一般には、上記画像情報をハードディスク装置等に一時的に記憶させておき、外部機器からの送信要求に応じて送信する。
【発明の開示】
【発明が解決しようとする課題】
【０００９】
ところが、上記従来の構成では、ネットワーク環境下に有るデジタル複写機、プリンタなどの出力状態を見てみると、パソコン、各種携帯端末装置、ファクシミリ装置など、様々な外部機器から指示されたプリントジョブの記録物が出力部に散乱している状態が多々見うけられる。そのために、目的とする出力物がどれであるのか分かりにくくなるという問題が生じる。
【００１０】
そのため、例えば、特公昭６３−１８９１１号公報等に、プリンタ、ファクシミリ、コピーの各モード毎に記録物の収容先が予め定められたシート収容装置が組み合わせられ、出力処理システムとして構成されたデジタル複写機が開示されている。
【００１１】
しかしながら、上記公報のデジタル複写機では、特にプリンタモードにおいて、プリントジョブの出力処理を指示したユーザが出力装置に対して画像の出力指示は行うもの、記録物を取りにいくのを忘れたり、取りにいくのが遅れるといったことにより、出力部において多くの出力物が散乱することがあり、上記問題を十分に解決できるものではない。
【００１２】
また、従来のデジタル複写機では、スキャナモードでの使用時においては、ユーザは、デジタル複写機の前でスキャナモードの指示、機密保持のためのパスワードの指示、送信先の指示などスキャナモードを行うために多くのモード設定を行う必要がある。そのために、モードの設定ミスを招く可能性も大きくなり、スキャナモードがスムーズに完了しないこととなる虞がある。
【００１３】
一方、特開平１０−１６３５５号公報には、ネットワーク環境下にある外部機器から画像の出力処理（プリントジョブ）が指示されると、ＩＤ番号と共にプリントジョブを記憶管理しておき、ユーザが携帯するＩＤカードにより出力処理を指示したユーザのＩＤ番号が確認されると、ＩＤ番号に対応するプリントジョブを画像として出力処理するようにした装置が開示されている。上記装置では、ユーザがプリントジョブの出力物を取りに来てから出力処理が開始されるため、目的とするプリント出力物を他の出力物と混乱させることなく得ることができる。
【００１４】
しかしながら、上記特開平１０−１６３５５号公報の装置では、ユーザがプリント出力物を取りに行ってから出力処理が開始されるため出力待ちの時間が必ず発生するなど、ＩＤ番号の管理によるプリントジョブ制御について十分な利便性を達成しているものでなく、また、上記スキャナモードにおけるＩＤ番号の管理の適用については全く開示されていない。
【００１５】
本発明は、上記の問題点を解決するためになされたもので、その目的は、ＩＤ番号の管理によるプリントジョブ制御が可能な画像出力処理装置において、上記ＩＤ番号を利用して、出力処理制御等の様々な制御を行い、ユーザにとって利便性の高い画像出力処理装置を提供することにある。
【課題を解決するための手段】
【００１６】
請求項１の画像出力処理装置は、上記の課題を解決するために、原稿を読み取ってその画像データを得る読取手段（例えば、スキャナ）を有し、該読取手段によって得られた画像データを外部機器（例えば、パソコン）に対して送信可能な画像出力処理装置において該画像出力処理装置の管理エリア内に入った応答器と無線通信することで、この応答器に格納されるＩＤ番号を確認する質問器と、上記読取手段によって原稿の読み取りが行なわれている時に、この読み込みによって得られた画像データと、この時、上記質問器によって確認されたＩＤ番号とを対応させて記憶管理する記憶管理手段と、上記読取手段によって得られた画像データを送信する際の送信先となる各外部機器と、各外部機器毎に設定されているＩＤ番号とを対応させて格納している送信先ＩＤ格納手段とを有し、上記読取手段によって得られた画像データを外部機器に対して送信する場合に、該記憶管理手段に記憶管理されているＩＤ番号と同一のＩＤ番号を有する外部機器を上記送信先ＩＤ格納手段に格納される情報に基づいて確認し、確認された外部機器を上記画像データの送信先として送信を行なう送信制御手段とを備えていることを特徴としている。
【００１７】
請求項２の画像出力処理装置は、請求項１の構成に加えて、上記送信制御手段は、画像データを外部機器に対して送信する際に、該画像データに対応するＩＤ番号を送信先の外部機器に対して、共に送信することを特徴としている。
【００１８】
請求項３の画像出力処理装置は、請求項１または２の何れかの構成に加えて、上記送信制御手段は、上記ＩＤ番号に基づいて画像データの送信先を確定する送信モード以外に、ユーザの入力指示に基づいて任意の外部機器を送信先として設定可能な送信モードを有することを特徴としている。
【００１９】
請求項４の画像出力処理装置は、請求項１ないし３の何れかの構成に加えて、上記送信制御手段は、外部機器からの画像データの送信要求に応じて画像データを送信可能であり、上記送信要求に応じて画像データを送信する場合には、送信要求を行なった外部機器のＩＤ番号と、送信要求された画像データのＩＤ番号とが一致する場合のみ画像データを送信することを特徴としている。
【００２０】
請求項５の画像出力処理装置は、請求項１ないし４の何れかの構成に加えて、さらに、表示部を備え、上記表示部は、画像データを外部機器に対して送信する際に、該画像データに対応するＩＤ番号に基づいて送信先の外部機器が確定すると、該外部機器の情報を表示することを特徴としている。
【００２１】
請求項６の画像出力処理装置は、請求項１ないし５の何れかの構成に加えて、さらに、表示部を備え、上記表示部は、上記質問器が複数のＩＤ番号を同時に確認した場合に、これらに対応する全ての送信先の外部機器を選択可能に表示することを特徴としている。
【００２２】
請求項７の画像出力処理装置は、請求項１の構成に加えて、上記記憶管理手段は、上記質問器にて確認されたＩＤ番号がその後確認できなくなった段階で、そのＩＤ番号を、画像データと共に記憶管理するＩＤ番号として確定し、上記送信制御手段は、読取手段によって得られた画像データを外部機器に対して送信する場合に、上記記憶管理手段により確定されたＩＤ番号と同一のＩＤ番号を有する外部機器を上記送信先ＩＤ格納手段に格納される情報に基づいて確認し、確認された外部機器を上記画像データの送信先として送信を行なうことを特徴としている。
【００２３】
請求項８の画像出力処理装置は、請求項１の構成に加えて、上記記憶管理手段は、上記質問器が複数のＩＤ番号を確認した場合、それらＩＤ番号のうち、その後確認できなくなったＩＤ番号を、画像データと共に記憶管理するＩＤ番号として確定し、上記送信制御手段は、読取手段によって得られた画像データを外部機器に対して送信する場合に、上記記憶管理手段により確定されたＩＤ番号と同一のＩＤ番号を有する外部機器を上記送信先ＩＤ格納手段に格納される情報に基づいて確認し、確認された外部機器を上記画像データの送信先として送信を行なうことを特徴としている。
【発明の効果】
【００２４】
請求項１の画像出力処理装置は、上記の課題を解決するために、該画像出力処理装置の管理エリア内に入った応答器と無線通信することで、この応答器に格納されるＩＤ番号を確認する質問器と、上記読取手段によって原稿の読み取りが行なわれている時に、この読み込みによって得られた画像データと、この時、上記質問器によって確認されたＩＤ番号とを対応させて記憶管理する記憶管理手段と、上記読取手段によって得られた画像データを送信する際の送信先となる各外部機器と、各外部機器毎に設定されているＩＤ番号とを対応させて格納している送信先ＩＤ格納手段とを有し、上記読取手段によって得られた画像データを外部機器に対して送信する場合に、該記憶管理手段に記憶管理されているＩＤ番号と同一のＩＤ番号を有する外部機器を上記送信先ＩＤ格納手段に格納される情報に基づいて確認し、確認された外部機器を上記画像データの送信先として送信を行なう送信制御手段とを備えている構成である。
【００２５】
上記の構成によれば、上記読取手段によって原稿の読み取りを行なう際には、各ユーザが携帯している応答器（例えば、ＩＤカード）により上記質問器が、原稿の読み取りを行なわせているユーザのＩＤ番号を確認する。この時、上記読取手段によって読み取られた画像データと、上記質問器によって確認されたＩＤ番号とが上記記憶管理手段に対応して記憶され、さらに送信制御手段が上記移動体確認手段によって確認されたＩＤ番号に基づいて送信制御を行なう。それゆえ、読み取られた原稿の画像データをどのように送信処理すべきか自動的に判定して処理されるため、ユーザの操作性を向上させることができるといった効果を奏する。
【００２６】
さらに、請求項１の画像出力処理装置は、上記読取手段によって得られた画像データを送信する際の送信先となる各外部機器と、各外部機器毎に設定されているＩＤ番号とを対応させて格納している送信先ＩＤ格納手段を有し、上記送信制御手段は、画像データを外部機器に対して送信する際に、上記記憶管理手段に該画像データに対応して記憶されているＩＤ番号と同一のＩＤ番号を有する外部機器を上記送信先ＩＤ格納手段に格納される情報に基づいて確認し、確認された外部機器を上記画像データの送信先として送信を行なう構成である。
【００２７】
これのより、読み取られた原稿の画像データの送信先が、自動的に確定されるため、ユーザの操作性を向上させることができる。但し、この場合、各ユーザの使用する外部機器は予め特定されており、上記送信先ＩＤ格納手段には各外部機器をそれを使用するユーザのＩＤ番号とが対応して格納されているものとする。それゆえ、ユーザが原稿の読み取りを行なわせた場合には、その画像データの送信先は、ユーザ自身が使用する外部機器に設定されるといった効果を奏する。
【００２８】
請求項２の画像出力処理装置は、請求項１の構成に加えて、上記送信制御手段は、画像データを外部機器に対して送信する際に、該画像データに対応するＩＤ番号を送信先の外部機器に対して、共に送信する構成である。
【００２９】
それゆえ、読み取られた原稿の画像データが外部機器に送信された後、該外部機器側において、誰からの転送画像データであるかを確認することができるといった効果を奏する。
【００３０】
請求項３の画像出力処理装置は、請求項１または２の何れかの構成に加えて、上記送信制御手段は、上記ＩＤ番号に基づいて画像データの送信先を確定する送信モード以外に、ユーザの入力指示に基づいて任意の外部機器を送信先として設定可能な送信モードを有する構成である。
【００３１】
上記の構成によれば、ＩＤ番号に基づいてユーザ自身の外部機器へ画像データを送信することができるうえに、さらに、その他の外部機器へ画像データを送信することも可能となる。それゆえ、上記画像出力処理装置における画像データの送信の任意性が高まり、装置の利便性が向上するといった効果を奏する。
【００３２】
請求項４の画像出力処理装置は、請求項１ないし３の何れかの構成に加えて、上記送信制御手段は、外部機器からの画像データの送信要求に応じて画像データを送信可能であり、上記送信要求に応じて画像データを送信する場合には、送信要求を行なった外部機器のＩＤ番号と、送信要求された画像データのＩＤ番号とが一致する場合のみ画像データを送信する構成である。
【００３３】
それゆえ、上記記憶管理手段に一時的に記憶された画像データをユーザの適切なタイミングでもって外部機器に送信することができるといった効果を奏する。また、この時、原稿をセットしたユーザのＩＤ番号と共に画像データを管理して、このＩＤ番号に基づいて送信を行うことにより、上記画像データが他の外部機器に送信されることを防止することができるといった効果を奏する。
【００３４】
請求項５の画像出力処理装置は、請求項１ないし４の何れかの構成に加えて、さらに、表示部を備え、上記表示部は、画像データを外部機器に対して送信する際に、該画像データに対応するＩＤ番号に基づいて送信先の外部機器が確定すると、該外部機器の情報を表示する構成である。
【００３５】
それゆえ、自動的に確定される送信先の外部機器をユーザに対して確認させることができるといった効果を奏する。
【００３６】
請求項６の画像出力処理装置は、請求項１ないし５の何れかの構成に加えて、さらに、表示部を備え、上記表示部は、上記質問器が複数のＩＤ番号を同時に確認した場合に、これらに対応する全ての送信先の外部機器を選択可能に表示する構成である。
【００３７】
請求項７の画像出力処理装置は、請求項１の構成に加えて、上記記憶管理手段は、上記質問器にて確認されたＩＤ番号がその後確認できなくなった段階で、そのＩＤ番号を、画像データと共に記憶管理するＩＤ番号として確定し、上記送信制御手段は、読取手段によって得られた画像データを外部機器に対して送信する場合に、上記記憶管理手段により確定されたＩＤ番号と同一のＩＤ番号を有する外部機器を上記送信先ＩＤ格納手段に格納される情報に基づいて確認し、確認された外部機器を上記画像データの送信先として送信を行なう構成である。
【００３８】
請求項８の画像出力処理装置は、請求項１の構成に加えて、上記記憶管理手段は、上記質問器が複数のＩＤ番号を確認した場合、それらＩＤ番号のうち、その後確認できなくなったＩＤ番号を、画像データと共に記憶管理するＩＤ番号として確定し、上記送信制御手段は、読取手段によって得られた画像データを外部機器に対して送信する場合に、上記記憶管理手段により確定されたＩＤ番号と同一のＩＤ番号を有する外部機器を上記送信先ＩＤ格納手段に格納される情報に基づいて確認し、確認された外部機器を上記画像データの送信先として送信を行なう構成である。
【発明を実施するための最良の形態】
【００３９】
本発明の実施の一形態について図１ないし図１３に基づいて説明すれば、以下の通りである。
【００４０】
本発明に係る画像出力処理装置の一実施形態を、ネットワークによりパソコン等の外部情報処理装置や、デジタルビデオカメラ、ファクシミリ等と接続された、デジタル複写機を例示して説明する。
【００４１】
図２は、デジタル複写機１の全体構成を示す断面図である。この図に示すように、デジタル複写機１は、大きくはスキャナ部３１及びレーザ記録部３２から構成されている。
【００４２】
スキャナ部３１は、透明ガラスからなる原稿載置台３５、原稿載置台３５上へ自動的に原稿を供給搬送するための両面対応自動原稿送り装置（ＲＡＤＦ）３６、及び原稿載置台３５上に載置された原稿の画像を走査して読み取るための原稿画像読み取りユニット、すなわちスキャナユニット４０から構成されている。
【００４３】
スキャナ部３１にて読み取られた原稿画像は、画像データとして後述する画像データ入力部へと送られ、画像データに対して所定の画像処理が施される。
【００４４】
ＲＡＤＦ３６は、所定の原稿トレイ上に複数枚の原稿を一度にセットしておき、セットされた原稿を１枚ずつ自動的にスキャナ部３１の原稿載置台３５上へ送給する装置である。ＲＡＤＦ３６は、オペレータの選択に応じて原稿の片面又は両面をスキャナユニット４０に読み取らせるように、片面原稿のための搬送経路、両面原稿のための搬送経路、搬送経路切り換え手段などから構成されている。尚、ＲＡＤＦ３６については、従来から数多くの出願、商品化がなされているので、これ以上の説明は行わない。
【００４５】
スキャナユニット４０は、原稿面上を露光するランプリフレクタアセンブリ４１、原稿からの反射光像を光電変換素子４４に導くための第１の反射ミラー４２ａからなる第１の走査ユニット４０ａ、さらなる原稿からの反射光像を光電変換素子４４に導くための第２，第３の反射ミラー４２ｂ・４２ｃからなる第２の走査ユニット４０ｂ、原稿からの反射光像を電気的画像信号に変換する光電変換素子４４上に結像するための光学レンズ体４３、及び原稿からの反射光像を電気的画像信号に変換するＣＣＤ等の光電変換素子４４から構成されている。
【００４６】
スキャナ部３１は、上記ＲＡＤＦ３６とスキャナユニット４０の関連した動作により、原稿載置台３５上に読み取るべき原稿を順次載置させながら、原稿載置台３５の下面に沿ってスキャナユニット４０を移動させて原稿画像を読み取るように構成されている。
【００４７】
原稿画像をスキャナユニット４０で読み取ることにより得られた画像データは、後述する画像処理部へ送られ、各種処理が施された後、レーザ記録部３２のレーザ書き込みユニット（以下、ＬＳＵ）４６に与えられる。
【００４８】
レーザ記録部３２は、用紙収納・搬送部、ＬＳＵ４６及び画像を形成するための電子写真プロセス部４７を備えている。
【００４９】
用紙収納・搬送部には、第１カセット５１、第２カセット５２、第３カセット５３、及びマルチ手差しトレイ５４を有しており、さらに、画像が記録された用紙の裏面側に画像を記録させるための両面ユニット５５が備えられている。
【００５０】
この用紙収納・搬送部における各カセットには、用紙束がサイズ毎に収容されており、ユーザが所望するサイズが収容されているカセットを選択すると、そのカセット内の用紙束の最上層から、給紙搬送部５０にて用紙が１枚ずつ送り出され、搬送経路３３を経由して順次レーザ記録部３２の電子写真プロセス部４７へ向けて搬送される。
【００５１】
ＬＳＵ４６は、上述のメモリから画像データに応じたレーザ光を出射する半導体レーザ、レーザ光を等角速度偏向するポリゴンミラー、等角速度偏向されたレーザ光が電子写真プロセス部４７の感光体ドラム４８上で等速度偏向されるように補正するｆ−θレンズ等を有している。
【００５２】
電子写真プロセス部４７は、周知の態様に従い、感光体ドラム４８の周囲に帯電器、現像器、転写器、剥離器、クリーニング器、除電器を備えると共に、その用紙搬送方向下流側に定着器４９を配置してなっている。
【００５３】
また、定着器４９より用紙搬送方向さらに下流側には、用紙排出搬送路が設けられており、この用紙排出搬送路は後処理装置３４へ通じる搬送路５７と、両面ユニット５５へ通じる搬送路５６とに分岐している。
【００５４】
画像メモリから読み出された画像データは、ＬＳＵ４６によってレーザ光線を走査させることにより感光体ドラム４８の表面上に静電潜像として形成され、トナーにより可視像化されたトナー像は用紙収納・搬送部から搬送された用紙の面上に静電転写され定着される。
【００５５】
このようにして画像が形成された用紙は、定着器４９から搬送路５７を介して後処理装置３４へ送られるか、或いは、搬送路５６を介して両面ユニット５５へと選択的に搬送される。
【００５６】
後処理装置３４は、第１の排紙トレイ３４１と、第２の排紙トレイ３４２が、装置左側において上下に配置されており、デジタル複写機１側において画像が記録された用紙を搬送路５７から受け取る。後処理装置３４内には、用紙受け取り口３４３、第１の搬送経路３４４、第２の搬送経路３４５、第１の切り換えゲート３４６、第２の切り換えゲート３４７、スイッチバック搬送経路３４８、第１排出ローラ３４９、第２排出ローラ３５０等が配置されており、各種の排出モードに対応している。
【００５７】
第１排出モードでは、用紙受け取り口３４３に受け取られた用紙は、第１の搬送経路３４４から直接第１排出ローラ３４９により第１の排紙トレイ３４１に排出される。
【００５８】
第２排出モードでは、用紙受け取り口３４３に受け取られた用紙は、第１の切り換えゲート３４６により第２の搬送経路３４５へと導かれ、その後第２の切り換えゲート３４７により第２排出ローラ３５０側へと案内され、該第２排出ローラ３５０から第２の排紙トレイ３４２に排出される。
【００５９】
第３排出モードでは、用紙受け取り口３４３に受け取られた用紙は、第１の切り換えゲート３４６により第２の搬送経路３４５へと導かれ、その後第２の切り換えゲート３４７によりスイッチバック搬送経路３４８へと案内される。そして用紙の後端が第２の切り換えゲート３４７を通過すると、用紙がスイッチバック搬送され、第２の切り換えゲート３４７から第２排出ローラ３５０側へと案内され、該第２排出ローラ３５０から第２の排紙トレイ３４２に排出される。
【００６０】
また、第１の排紙トレイ３４１及び第２の排紙トレイ３４２には、排出収容される用紙の収容状態を排出方向と略直交する方向に変位させるための、従来から公知のオフセット機構３５１・３５２が設けられており、ジョブ単位、あるいは、モード毎に画像が記録された用紙を区分した状態で区分け収容するようになっている。その他、後処理装置３４には、ステープル処理部（図示せず）等も配設されている。
【００６１】
そして、図３に示すように、上記デジタル複写機１は、パソコン２、デジタルカメラ３、デジタルビデオカメラ４、携帯端末装置５、ファクシミリ６などの外部の画像処理装置とネットワーク接続されている。
【００６２】
このネットワーク接続された画像処理装置からインターフェイスを介して転送されてきた画像データは、一旦、デジタル複写機１の画像処理部へと送られ、所定の処理が行われた後、レーザ記録部３２から画像として記録再現され出力される。
【００６３】
次に、このデジタル複写機１における、読み取られた原稿画像情報に画像処理を行う画像処理部の構成及び機能について説明する。
【００６４】
図４は、図２のデジタル複写機１を構成している各種ユニット部、画像処理部などの全体ブロック構成図であり、略中央に位置するメイン中央演算処理装置４０１（ＣＰＵ（Central Processing Unit)）により、各ユニット部毎に搭載されたサブ中央演算処理装置（ＣＰＵ）との連携を取りながら動作管理している状態を示す図である。
【００６５】
このブロック図から分かるように、大きくは図面略右上に位置する操作パネルを管理制御するオペレーションパネルボード１００と、図面略左上に位置するデジタル複写機１を構成する各ユニットを管理制御するマシンコントロールボード２００と、図面略左下に位置する原稿画像を電気的に読み取り電子データとするＣＣＤボード３００と、図面略中央に位置する上記ＣＣＤボード３００にて電子データ化された原稿画像に対して所定の画像処理を施すメイン画像処理ボード４００と、このメイン画像処理ボード４００にて処理された画像情報に対してさらに所定の画像処理を施すサブ画像処理ボード５００と、さらに、図面略右下に位置する上記サブ画像処理ボード５００にインターフェイスを介して接続されたその他の拡張ボード群６００（プリンタボード、ＦＡＸボード、機能拡張ボード）などから構成されている。
【００６６】
以下、各ボード毎に管理制御している内容について説明する。
【００６７】
オペレーションパネルボード１００は、基本的にサブの中央演算処理装置（ＣＰＵ）１０１により制御されており、操作パネル１０３上に配置されたＬＣＤ表示部１０４の表示画面、各種モードに関する指示を入力する操作キー群１０５からの操作入力などを管理している。
【００６８】
そして、このオペレーションパネルボード１００には、操作キー群１０５から入力されたデータ、ＬＣＤ表示部１０４に表示させる情報など操作パネル１０３における各種制御情報を記憶しておくメモリ１０２も設けられている。
【００６９】
この構成において、サブの中央演算処理装置１０１は、メインの中央演算処理装置４０１との制御データ通信を行い、デジタル複写機１の動作指示を行う。また、メインの中央演算処理装置４０１からは、デジタル複写機１の動作状態を示す制御信号をサブの中央演算処理装置１０１へと転送することで、操作パネル１０３のＬＣＤ表示部１０４を通して、装置が現在どのような状態にあるのかユーザに表示するようになっている。
【００７０】
マシンコントロールボード２００は、サブの中央演算処理装置２０１により全体が制御されており、前述したＡＤＦ・ＲＡＤＦなどの自動原稿送り装置３６、原稿画像を読み取るスキャナ部３１、画像情報を画像として再現する電子写真プロセス部４７、画像が記録される用紙をカセット等から給紙して電子写真プロセス部４７へ向かって順次搬送する給紙搬送部５０、用紙の両面に画像が形成されるように用紙を反転搬送する両面ユニット５５、画像が記録された用紙に対してステープルなどの後処理を行う後処理装置３４などを管理している。
【００７１】
ＣＣＤボード３００は、原稿画像を電気的に読み取るためのＣＣＤ３０１、ＣＣＤ３０１を駆動する回路（ＣＣＤゲートアレイ）３０２、ＣＣＤ３０１から出力されるアナログデータのゲイン調整などを行うアナログ回路３０３、ＣＣＤ３０１のアナログ出力をデジタル信号に変換して電子データとして出力するＡ／Ｄ変換器３０４などから構成され、制御管理はメインの中央演算処理装置４０１により行われている。
【００７２】
メイン画像処理ボード４００は、メインの中央演算処理装置４０１により制御され、上記ＣＣＤボード３００から送られてきた原稿画像の電子データをもとに、画像の階調性を所望の状態で表現できるように、シェーディング補正，濃度補正，領域分離，フィルタ処理，ＭＴＦ補正，解像度変換，電子ズーム（変倍処理），ガンマ補正など多値の画像データの状態のまま処理を施す多値画像処理部４０２、処理が施された画像データあるいは処理の手順管理など各種制御情報を記憶させておくメモリ４０３、処理が施された画像情報でもって画像を再現するためにＬＳＵ４６側へとデータを転送制御するレーザコントロール４０４などから構成されている。
【００７３】
サブ画像処理ボード５００は、メイン画像処理ボード４００とコネクタ接続され、メイン画像処理ボード４００上のメインの中央演算処理装置４０１により制御された、２値画像処理部５０１、画像処理の施された２値画像情報、あるいは処理上での制御情報などを記憶管理するメモリおよびメモリを制御するゲートアレイからなるメモリ部５０２、複数枚の原稿画像情報を記憶管理しておき、複数枚の原稿画像を繰り返し所望部数の数だけ読み出して複数の複写物を生成するためのディスクメモリおよびディスクメモリを制御するゲートアレイからなるハードディスク装置５０３、外部インターフェイスとしてのＳＣＳＩおよびＳＣＳＩを制御するゲートアレイからなるインターフェイス部５０４などから構成される。
【００７４】
また、前述の２値画像処理部５０１は、多値画像情報を２値画像に変換する処理部、画像を回転する処理部、２値画像の変倍処理を行う２値変倍（ズーム）処理部などから構成され、さらに、ファックス画像を通信手段を介して送受信することができるようにファックスインターフェイスも備えている。
【００７５】
拡張ボード群６００としては、パソコン２などから送られてくるデータをデジタル複写機１のレーザ記録部３２からプリンタモードとして出力可能とするためのプリンタボード６０１、デジタル複写機１の編集機能を拡張してデジタル複写機１の特徴を有効活用するための機能拡張ボード６０２、デジタル複写機１のスキャナ部３１から読み込んだ原稿画像を相手先に対して送信したり、相手先から送られてきた画像情報をデジタル複写機１のレーザ記録部３２から出力することを可能にするファクシミリボード６０３などがある。
【００７６】
以下、デジタル複写機１の画像処理装置として、コピー、ファックス、プリンタの各モードにおける、画像データの処理及び流れについて、さらに詳しく説明する。
【００７７】
《コピーモード》
デジタル複写機１のＲＡＤＦ３６の所定位置にセットされた原稿は、１枚ずつスキャナ部３１の原稿載置台３５上へと順次供給され、原稿の画像は先に説明したスキャナユニット４０の構成により順次読み取られ、８ビットの電子データとしてメイン画像処理ボード４００へと転送される。尚、この時、原稿載置台３５上に送信原稿を１枚ずつユーザがマニュアルでセットしながら読み取らせることも可能である。
【００７８】
メイン画像処理ボード４００に転送された８ビットの電子データは、８ビットの電子画像データとして多値画像処理部４０２上で所定の処理が施される。そして、８ビットの電子画像データにガンマ補正などの処理を行い、レーザコントロール４０４を介してＬＳＵ４６へと送られる。
【００７９】
これにより、デジタル複写機１のスキャナ部３１にて読み取られた原稿画像は、レーザ記録部３２から階調性のあるコピー画像として出力される。
【００８０】
《コピーモードにおける電子ＲＤＨ（Ｒｅｃｙｃｌｅ  Ｄｏｃｕｍｅｎｔ  Ｈａｎｄｌｅｒ）機能》
同じくデジタル複写機１のＲＡＤＦ３６の所定位置にセットされた原稿は、１枚ずつスキャナ部３１の原稿載置台３５上へと順次供給され、原稿の画像は先に説明したスキャナユニット４０の構成により順次読み取られ、８ビットの電子データとしてメイン画像処理ボード４００へと転送される。メイン画像処理ボード４００に転送された８ビットの電子データは、８ビットの電子画像データとして多値画像処理部４０２上で所定の処理が施される。
【００８１】
そして、この８ビットの電子画像データは、次にメイン画像処理ボード４００側のコネクタ４０５から、サブ画像処理ボード５００側のコネクタ５０５を介してサブ画像処理ボード５００側に送られ、２値画像処理部５０１の多値２値変換部において誤差拡散などの処理と共に８ビットの電子画像データから２ビットの電子画像データに変換される。
【００８２】
尚、８ビットの電子画像データを誤差拡散などの処理を含めて２ビットの電子画像データに変換しているのは、ただ多値２値変換を行っただけでは画質的に問題があるためで、画質の劣化を少なくする配慮である。また、８ビットの電子画像データを２ビットの電子画像データに変換するのは、画像の記憶容量などを考慮したためである。
【００８３】
このようにして変換された２ビットの電子画像データは、原稿１枚毎にハードディスク装置５０３のディスクメモリへと転送されて一時的に記憶管理される。デジタル複写機１のＲＡＤＦ３６にセットされた原稿群の全てが読み取り処理されると、先程一時的にディスクメモリに記憶された２ビットの電子画像データをゲートアレイの制御により指定された部数の数だけ繰り返し読み出して、読み出された２ビットの電子画像データは、再度コネクタ４０５，５０５を介してメイン画像処理ボード４００へ送られ、ガンマ補正などの処理が施された後、レーザコントロール４０４を介してＬＳＵ４６へと送られる。
【００８４】
尚、ここでは、全ての原稿群画像が読み取られてから画像群を所望する部数の数だけ繰り返し読み出すようにして説明したが、１部目の画像出力は所定分の画像が準備できた段階で順次出力するように構成することも可能である。
【００８５】
これにより、デジタル複写機１のスキャナ部３１にて読み取られた原稿画像は、レーザ記録部３２から階調性のあるコピー画像として出力される。
【００８６】
《プリンタモード》
前述の図３に示したパソコン２やデジタルカメラ３などのネットワーク接続された外部機器から送られてきた画像は、プリンタボード６０１上でページ単位の画像として展開された後、インターフェイス部５０４を構成するＳＣＳＩから一旦サブ画像処理ボード５００側へ転送され、ハードディスク装置５０３などのメモリヘと記憶される。
【００８７】
この処理の流れをパソコン２を例示して簡単に説明する。パソコン２側で作成されたテキストデータなどが、ＰＳ（Ｐｏｓｔｓｃｒｉｐｔ）あるいは、ＰＣＬ（Ｐｒｉｎｔｅｒ  ｃｏｎｔｒｏ１ｅ  Ｌａｎｇｕａｇｅ）のデータ形式の形で転送されてくる。この転送されてきたデータは、一旦プリンタボード６０１上のバッファ（メモリ２）へと蓄積され、ＣＰＵがページメモリ（メモリ１）上にＲＩＰ（Ｒａｓｔｅｒ  Ｉｍａｇｅ  Ｐｒｏｃｅｓｓｏｒ）により展開する。
【００８８】
そして、ぺージメモリ（メモリ１）上に展開された画像データは、ＳＣＳＩを介してサブ画像処理ボード５００ヘと転送されハードディスク装置５０３へと記憶される。このとき、ぺージメモリ（メモリ１）上に展開記憶されている画像データが容量の関係でハードディスク装置５０３に記憶できなければ、ハードディスク装置５０３が開放されるまで待機している。
【００８９】
尚、プリンタボード６０１上でぺージ画像として展開された画像は、サブ画像処理ボード５００側に送られるが、ぺージ画像に２値画像処理は行わず、ハードディスク装置５０３に一時記憶されるだけである。また、一旦記憶されたぺージ画像がハードディスク装置５０３から読み出される時も、ぺージ画像に対する２値画像処理は行わない。
【００９０】
そして、ハードディスク装置５０３へ一時記憶された画像情報は、所定のぺージ順となるようにハードディスク装置５０３から読み出されながらメイン画像処理ボード４００へと送られ、ガンマ補正が施された後、レーザコントロール４０４からＬＳＵ４６にて画像を再現するよう画像の書き込みが制御される。
【００９１】
《ファックスモード》
ファックスモードには、相手先に対する原稿の送信と、相手先からの原稿の受信に対する処理がある。
【００９２】
先に相手先に対する原稿の送信について説明する。デジタル複写機１のＲＡＤＦ３６の所定位置にセットされた送信原稿は、１枚ずつスキャナ部３１の原稿載置台３５上へと順次供給され、送信原稿の画像は先に説明したスキャナユニット４０の構成により順次読み取られ、８ビットの電子データとしてメイン画像処理ボード４００へと転送される。
【００９３】
メイン画像処理ボード４００に転送された８ビットの電子データは、８ビットの電子画像データとして多値画像処理部４０２上で所定の処理が施される。そして、この８ビットの電子画像データは、次にメイン画像処理ボード４００側のコネクタ４０５から、サブ画像処理ボード５００側のコネクタ５０５を介してサブ画像処理ボード５００側に送られ、２値画像処理部５０１の多値２値変換部において誤差拡散などの処理と共に８ビットの電子画像データから２ビットの電子画像データに変換される。
【００９４】
尚、８ビットの電子画像データを誤差拡散などの処理を含めて２ビットの電子画像データに変換しているのは、ただ多値２値変換を行っただけでは画質的に問題があるためで、画質の劣化を少なくする配慮である。
【００９５】
このようにして２値画像化された送信原稿は、所定の形式で圧縮されメモリ部５０２に記憶される。そして相手先との送信手続きを行い送信可能な状態が確保されると、メモリ部５０２から読み出された所定の形式で圧縮された送信原稿画像はファックスボード６０３側へと転送され、このファックスボード６０３上で圧縮形式の変更など必要な処理が施された後、相手先に対して通信回線を介して順次送信されることとなる。
【００９６】
次に、相手先から送信されてきた原稿画像の処理について説明する。相手先から通信回線を介して原稿が送信されてくると、ファックスボード６０３での通信手続きを行いながら相手先から送信されてくる原稿画像を受信すると共に、所定の形式に圧縮された状態の受信画像は、サブ画像処理ボード５００の２値画像処理部５０１に設けられたファックスインターフェイスから２値画像処理部５０１へと送られ、圧縮伸張処理部などによりぺージ画像として送信されてきた原稿画像を再現する。
【００９７】
そして、ぺージ単位の画像として再現された原稿画像は、メイン画像処理ボード４００側へと転送されガンマ補正が施された後、レーザコントロール４０４からＬＳＵ４６にて画像を再現するよう画像の書き込みが制御される。
【００９８】
《スキャナモード》
スキャナモードでは、スキャナ部３１により読み取られた原稿画像が、ネットワーク接続されたパソコン等の外部機器へ送信される。
【００９９】
まず、デジタル複写機１のＲＡＤＦ３６の所定位置にセットされた送信原稿は、１枚ずつスキャナユニット４０の原稿載置台３５上へと順次供給され、送信原稿の画像は先に説明したスキャナユニット４０の構成により順次読み取られ、８ビットの電子データとしてメイン画像処理ボード４００へと転送される。
【０１００】
メイン画像処理ボード４００に転送された８ビットの電子データは、８ビットの電子画像データとして多値画像処理部４０２上で所定の処理が施される。そして、この８ビットの電子画像データは、次にメイン画像処理ボード４００側のコネクタ４０５からサブ画像処理ボード５００側のコネクタ５０５を介してサブ画像処理ボード５００側に送られ、大容量の記憶容量を有するハードディスク装置５０３に蓄積される。
【０１０１】
その後、必要に応じてハードディスク装置５０３から読み出された画像情報は、ＳＣＳＩなどのインターフェイス部５０４を介して外部の接続機器に対して送信される。
【０１０２】
以上の構成から判るように、画像情報に所定の処理を施す画像処理部は、主としてスキャナ部３１から読み取り入力された原稿画像を多値の画像情報として処理するメイン画像処理ボード４００と、このメイン画像処理ボード４００にて多値画像情報として処理された原稿画像情報に対して２値化処理など所定の処理を施したり、外部インターフェイスを介して接続された機器から送られてきた画像情報に対して所定の処理を施した後、多値画像処理部４０２（メイン画像処理ボード４００）側へと転送したりするサブ画像処理ボード５００とに分割構成されている。
【０１０３】
また、メイン画像処理ボード４００には、画像をＬＳＵ４６から電子写真プロセス部４７の感光体４８上に再現させるため、ＬＳＵ４６の画像情報の書き込みを制御するためのレーザコントロール４０４が含まれている。この構成により、スキャナ部３１から読み取り入力された原稿画像は、多値画像として原稿が有する画像の特徴を損なうことなくレーザ記録部３２からコピー画像として再現可能であり、大量の原稿を電子ＲＤＨ機能などを用いて高速出力処理する場合などは、サブ画像処理ボード５００、ハードディスク装置５０３などを用いることで可能となっている。
【０１０４】
また、ファックス、パソコンなど外部機器からの画像情報に対する処理および出力、ファックスに限ってはさらに、多値画像処理が施された（原稿画像の特徴が保たれた）送信原稿に対する２値化処理など、デジタル複写機１として備えられたデジタルの特徴機能に合わせて画像情報に適切な処理を施すことが可能な構成となっている。
【０１０５】
また、画像処理部を分散させることで、デジタル複写機１のバリエーション（ラインナップ）を多種多様揃えることが可能であり、ユーザの要望に合わせてデジタル複写機１を設置することができ、また、設置後もユーザの要望に合わせてシステム展開を簡単に図ることが可能である。
【０１０６】
さらに、メイン画像処理ボード４００上に配置された中央演算処理装置４０１は、上記構成においてサブ画像処理ボード５００をも管理制御しているので、それぞれの処理部において、連続して処理される画像全体の流れが管理され、データおよび処理の流れもスムーズになり、画像データが失われる虞れがない。
【０１０７】
以上が、デジタル複写機１に搭載されているスキャナ部３１、あるいは拡張ボード群６００から入力される画像データを処理する画像処理部の説明である。
【０１０８】
《ユーザのＩＤ番号を確認するシステム》
本発明の画像出力処理装置であるデジタル複写機１が接続されるネットワークは、例えば企業内等、ある特定のグループ内で使用されるものであり、その構成員であるユーザは、それぞれに固有のＩＤ番号を持っている。上記デジタル複写機１に、これに接続されているパソコン等の外部機器からプリントジョブとして画像印字の要求が出された場合、その画像データには印字要求を出したユーザのＩＤ番号が情報として付加されている。
【０１０９】
また、各ユーザは、自分自身のＩＤ番号が記録されたＩＤカードを携帯している。上記ＩＤカードはデジタル複写機１との間で無線通信可能であり、ユーザがデジタル複写機１の管理エリア内に入ると、デジタル複写機１はそのユーザが携帯しているＩＤカードとの通信によって、そのＩＤ番号を読み取る。
【０１１０】
上記デジタル複写機１では、このように、ユーザが該デジタル複写機１の管理エリア内に入った時に、ユーザのＩＤ番号を確認し、このＩＤ番号に基づいて様々な制御を行うものである。このため、上記デジタル複写機１には、上記ＩＤ番号を検知するために、例えば、特開平５−２７３３３８号公報に記載されているような移動体識別装置（移動体識別手段）が搭載されている。
【０１１１】
上記移動体識別装置は、図５に示すように、質問器６０と応答器７０とから構成され、デジタル複写機１には質問器６０が組み込まれ、各ユーザは応答器７０をＩＤカードとして携帯しているものとする。尚、上記応答器７０は、カード以外の形態の携帯物であってもよいし、その他の携帯物に組み込まれたものであってもよい。
【０１１２】
上記質問器６０は、アンテナ６１、受信器６２、ＲＯＭ６３、ＲＡＭ６４、およびＣＰＵ６５を備えている。アンテナ６１は受信器６２を介してＣＰＵ６５に接続されており、ＲＯＭ６３、ＲＡＭ６４、およびＣＰＵ６５は互いに接続されている。また、上記ＣＰＵ６５は、図４において図示されていないが、メイン画像処理ボード４００のＣＰＵ４０１と接続されているものとする。上記質問器６０は、ＲＯＭ６３に格納されたシステムプログラムに基づいて、ＣＰＵ６５によって動作制御される。
【０１１３】
上記応答器７０は、アンテナ７１、送信機７２、ＲＯＭ７３、ＲＡＭ７４、電源（電池）７５、およびＣＰＵ７６を備えている。アンテナ７１は送信器７２を介してＣＰＵ７５に接続されており、ＲＯＭ７３、ＲＡＭ７４、およびＣＰＵ７６は互いに接続されている。上記ＲＯＭ７３には、一般に、応答器７０の動作制御を行うシステムプログラムが格納されており、ＲＡＭ７４には、該応答器７０を携帯するユーザのＩＤ番号が格納されている。
【０１１４】
上記質問器６０は、送受信機６２およびアンテナ６１を介して、通常は待機状態にある不特定多数の応答器７０に向けてＩＤ要求信号を送信している。上記応答器７０が上記通信器６０の有効電波範囲内（すなわち、デジタル複写機１の管理エリア内）に入ると、上記ＩＤ要求信号を受信し、これに対する応答信号としてＩＤ番号を質問器６０に向けて送信する。
【０１１５】
このようにして、デジタル複写機１は、ＩＤ番号が記憶されたＩＤカードが管理エリア内に存在しているかを常時監視することができ、ＩＤカードの存在を検知すると、ＩＤ番号の確認を行い、その結果、このＩＤカードを所持しているユーザがデジタル複写機１の前に存在しているものとして処理する。
【０１１６】
そして、このＩＤ番号に対応するプリントジョブがハードディスク装置５０３に管理されているか確認を行い、ＩＤ番号に対応するプリントジョブが存在すれば、デジタル複写機１のレーザ記録部３２から画像として記録再現する。
【０１１７】
上記デジタル複写機１の具体的な動作制御例を以下の実施例１ないし７において、詳細に説明する。
【０１１８】
〔実施例１〕
上述の移動体識別装置を搭載したデジタル複写機１が接続されるネットワークシステムにおいて、ユーザがパソコンで作成した画像データ（文書データなど）を印字出力する場合、ユーザがパソコン側の操作によって上記画像データのプリント指示が行われる。
【０１１９】
このネットワークシステムは、ネットワークサーバー（プリントサーバー）によってシステム管理されており、ユーザによる画像データのプリント指示が行われると、パソコンから画像データとプリントに関する情報とが、ユーザのＩＤ番号が付加された状態でネットワークサーバーへと一旦送られる。
【０１２０】
この時付加される上記ＩＤ番号は、例えば、各ユーザの個人管理下にあるパソコンに、そのユーザの識別管理情報として予め設定されているものとする。また、他の方法として、パソコンに移動体識別装置を搭載しておき、パソコンを使用しているユーザを自動的に識別して、該ユーザが画像データの転送（出力）指示を行った段階で、画像データおよびプリントに関する情報と共に、自動的に識別したＩＤ番号を転送するような方法等も可能である。
【０１２１】
次にネットワークサーバーは、デジタル複写機１の状態を確認した上で画像データの記録（印字）が可能であると判断すれば、一時的に蓄積しているパソコンからの画像データ、プリントに関する情報、およびＩＤ番号をプリントジョブとしてデジタル複写機１に転送する。上記デジタル複写機１は、プリンタボード６０１を介して上記プリントジョブを受け付け、受け付けたプリントジョブをハードディスク装置（記憶管理手段）５０３内に記憶管理しておく。
【０１２２】
図６は、デジタル複写機１のハードディスク装置５０３内に記憶管理されているプリントジョブの管理テーブルを一例として表したものである。尚、今回の説明では、デジタル複写機１のハードディスク装置５０３にプリントジョブを記憶管理しておくように説明しているが、ネットワークサーバー側においてプリントジョブを記憶管理するように構成してもよい。
【０１２３】
本実施例に係るデジタル複写機１は、上述のようにハードディスク装置５０３に複数のプリントジョブが記憶管理されている状態でＩＤカードが検知された時に、該ＩＤカードに格納されているＩＤ番号を確認し、そのＩＤ番号に対応するプリントジョブの表示案内を行うものである。これにより、ユーザは自分の指示したプリントジョブを確認した上で所望する出力物（記録物）を確実に手に入れることができ、ユーザの利便性を向上させることができる。この場合の動作を図１のフローチャートを用いて説明する。
【０１２４】
上記デジタル複写機１は、先に説明したように移動体識別装置により所定エリア内におけるＩＤカードの存在を常に監視している。この時、上記移動体識別装置によりＩＤカードがデジタル複写機１の管理エリア内に存在していることが検知されると（Ｓ１でＹＥＳ）、該ＩＤカードのＩＤ番号が判別確認され（Ｓ２）、この判別されたＩＤ番号に対応するプリントジョブがハードディスク装置５０３内に存在するか否かが確認される（Ｓ３）。
【０１２５】
そして、プリントジョブの存在が確認できれば（Ｓ３でＹＥＳ）、デジタル複写機１の操作パネル１０３のＬＣＤ表示部１０４に、上記ＩＤ番号に対応するプリントジョブを、プリントに関する情報と合わせてプリントジョブリストとして一覧表示する（Ｓ４）。このとき、上記ＩＤ番号に対応するプリントジョブが複数確認された場合には、これら複数のプリントジョブに関する情報を上記ＬＣＤ表示部１０４に一覧表示するとよい。
【０１２６】
その後、デジタル複写機１のレーザ記録部３２において、プリント出力が可能であるか否かの判断がなされる（Ｓ５）。すなわち、上記Ｓ５のステップでは、用紙切れやトナー切れ等の不備がないかが確認される。ここで、プリント出力が可能な状態であると判断されれば、上記Ｓ４で表示されたプリントジョブの出力が行われる（Ｓ６）。また、この時、用紙切れやトナー切れ等の不備な点があり、プリント出力が可能な状態でないと判断されれば、上記の不備な点が案内表示され（Ｓ７）、ユーザがこの不備な点をクリア（Ｓ８）した後に、上記Ｓ４で表示されたプリントジョブの出力が行われる（Ｓ６）。
【０１２７】
上記Ｓ７では、不備な点の案内表示を行うにあたって、確認されたＩＤ番号に対応する表示、つまり本デジタル複写機１の前にいるユーザに対して必要な情報のみを表示する。例えば、ステープル針が切れていても、プリント処理されようとするジョブがステープル処理を必要とするものでなければ、Ｓ５において異常無しと判断されＳ７の表示は行われない。これにより、ユーザには関係のない情報を表示することによりユーザを困惑させてしまうことがない。
【０１２８】
また、先のＳ３において、判別されたＩＤ番号に対応するプリントジョブの存在が確認できなければ、プリントジョブがないことを表示して（Ｓ９）、処理を終了する。
【０１２９】
上記動作をより具体的に説明する。例えば、上記ハードディスク装置５０３において図６に示すプリントジョブが記憶管理されている場合に、ＩＤ番号「０１２１」のＩＤカードが検知されれば、該ＩＤ番号「０１２１」に対応するプリントジョブ２および３が選択され、この時、操作パネル１０３のＬＣＤ表示部（表示手段）１０４には図７に示すような表示がなされる。
【０１３０】
ここで、プリントジョブをデジタル複写機１のレーザ記録部３２から出力するにあたり、図７に示す表示において、各プリントジョブ毎の出力処理時間、全プリントジョブの出力処理時間を表示することで、一度デジタル複写機１のところへ来たユーザが、プリントジョブの出力完了時間を確認することができる。これにより、プリントの開始後、ユーザが再度デジタル複写機１のところへ出力物を取りに出向くまでの時間の目安とすることができる。
【０１３１】
また、上記プリントジョブはユーザのＩＤカードが検知されることによって、自動的に出力されてもよいが、複数のプリントジョブが一覧表示された中から、ユーザが任意のプリントジョブを指示してデジタル複写機１のレーザ記録部３２から優先的にプリントアウトさせることもできる。この場合、ユーザがプリントアウトさせるようとするプリントジョブを任意に選択できる選択キーを設けるようにするとよい。具体例としては、図７に示す表示において、ＬＣＤ表示部１０４をタッチパネルとし、タッチキーとして『選択』キーおよび『ＯＫ』キーを設ける。ユーザは、『選択』キーによってジョブリストの先頭に表示されるカーソルを移動させてプリントアウトさせるプリントジョブを選択し、『ＯＫ』キーによって選択されたプリントジョブの出力を許可する。
【０１３２】
また逆に、複数のプリントジョブが一覧表示された中から、任意のプリントジョブを指示してキャンセルすることもできる。この場合、図７に示す表示において、ユーザがプリントをキャンセルしようとするプリントジョブを任意に選択できる選択キーを設けるようにするとよい。具体例としては、図７に示す表示において、さらに『クリア』キーを設ける。ユーザは、『選択』キーによってジョブリストの先頭に表示されるカーソルを移動させてキャンセルするプリントジョブを選択し、『クリア』キーによって選択されたプリントジョブの出力をキャンセルする。
【０１３３】
ここで、上記ＬＣＤ表示部１０４を含む操作パネル１０３が特許請求の範囲に記載の選択手段に相当する。また、上記選択に基づくプリントジョブの出力の許可またはキャンセルは、ＣＰＵ４０１によって実行されるものであり、上記ＣＰＵ４０１が特許請求の範囲に記載の許可手段および出力無効手段に相当する。
【０１３４】
尚、上記説明において、デジタル複写機１は、外部機器から指示されたプリントジョブを一時的にハードディスク装置５０３に蓄積管理しておき、移動体識別装置によりＩＤ番号の存在が確認された段階で、ＩＤ番号に対応するプリントジョブを出力処理（これを、第１の出力処理モードとする）している。しかしながら、第２の出力処理モードとして、プリントジョブを上記ハードディスク装置５０３に停滞させることなく、所定のタイミング（出力処理可能なタイミング）でもって順次出力させるようにすることも可能である。この場合、ユーザがパソコンの操作画面上でプリントジョブの出力指示を行う段階で、該プリントジョブを第１および第２の出力処理モードの何れで出力処理させるかを設定するようにすればよい。
【０１３５】
すなわち、ユーザによってはパソコンから出力要求を出してからすぐにデジタル複写機１のところへ出力物を取りに行く人もいれば、また、出力するプリントジョブが大量で出力完了までに時間を要する場合もある。このように、出力要求が出されてからすぐに出力を開始することが望ましい場合には、第２の出力処理モードでもって、プリントジョブを上記ハードディスク装置５０３に停滞させることなく、所定のタイミング（出力処理可能なタイミング）でもって順次出力させるとよい。このためには、ユーザがパソコンから出力要求を出した時点で、該パソコンの画面上で、プリントジョブをハードディスク装置５０３に蓄えてから出力するか（第１の出力処理モード）、あるいは、プリントジョブをの出力をすぐに開始させるか（第２の出力処理モード）を選択するものとする。
【０１３６】
本実施例に係るデジタル複写機は、プリントジョブをＩＤ番号と共に記憶管理するためのハードディスク装置５０３と、プリントジョブに応じた画像を出力処理するレーザ記録部３２と、ＩＤ番号を確認して対応する前記プリントジョブの前記レーザ記録部３２による出力を許可するためのＣＰＵ４０１と、前記ＣＰＵ４０１により出力を許可されたプリントジョブに関する情報を表示するＬＣＤ表示部１０４とからなるように構成することができる。
【０１３７】
これにより、ユーザは自分自身のＩＤ番号に対応するプリントジョブの内容を確認できる。この時、それ以外のＩＤ情報に対応するプリントジョブの内容は表示されないので、表示される内容も分かりやすい。また、画像データの送信時に問題が発生したり、画像データが送信中で出力できない状態にあることも確認できる。
【０１３８】
また、移動体識別装置により確認されたＩＤ番号に対応するプリントジョブが複数存在する場合、上記ＬＣＤ表示部１０４が複数のプリントジョブに関する情報を一覧表示することにより、ユーザは該ＩＤ番号に対応するプリントジョブの内容をすべて確認できる。
【０１３９】
また、移動体識別装置により確認されたＩＤ番号に対応するプリントジョブが存在する場合、上記ＬＣＤ表示部１０４が、そのプリントジョブに関する情報として、出力処理に関する情報を併せて表示することにより、ユーザはプリントジョブの内容を含め、すべてのプリントジョブが出力処理されるまでの時間なども確認できる。
【０１４０】
また、上記移動体識別装置によりＩＤ番号が確認され、そのＩＤ番号に対応するプリントジョブを実行するにあたり、デジタル複写機１として不備がある場合は、その内容を上記ＬＣＤ表示部１０４に表示するとよい。これにより、ＩＤ番号が確認された段階で、そのＩＤ番号に対応したプリントジョブを実行するにあたり問題となる項目をユーザに対し案内することとなり、プリントジョブを指示したユーザが確認されたときのみ、そのユーザに対して問題となる項目を確実に伝えることができる。また、このとき、他のユーザに与える影響もなく、このデジタル複写機１を利用するユーザ全体が混乱することもなくスムーズに利用することができる。
【０１４１】
また、ＣＰＵ４０１は、確認されたＩＤ番号に対応するプリントジョブを上記ＬＣＤ表示部１０４上に一覧表示すると共に、このＬＣＤ表示部１０４上に表示されたプリントジョブの中でも所望するプリントジョブを優先的に出力指示することが出来る。これにより、複数あるプリントジョブの中でもユーザが優先的に出力を希望するものから効率良く出力させることができる。
【０１４２】
また、上記ＣＰＵ４０１は、確認されたＩＤ番号に対応するプリントジョブを上記ＬＣＤ表示部１０４上に一覧表示すると共に、このＬＣＤ表示部１０４上に表示されたプリントジョブの中でも任意のプリントジョブの出力を禁止指示することが出来る。これにより、プリントジョブを指示した後からでも不要となったジョブを装置（ＬＣＤ表示部１０４）で確認しながら任意にキャンセルすることができる。
【０１４３】
また、上記デジタル複写機１は、プリントジョブをＩＤ番号と共に一時的に記憶管理した後、ＩＤ番号を確認した段階で対応する前記プリントジョブを出力処理する第１の出力処理モードと、プリントジョブを停滞させることなく出力処理する第２の出力処理モードとを有する。これにより、第１の出力処理モードでは、ユーザが装置の近くにいることが確認された段階でプリントジョブを出力処理することとなり、画像が記録された記録物が排出部で混雑することもなく、また、第２の出力処理モードでは、機密情報など不特定多数の人に見られたくない情報を画像として記録する場合に有効である。
【０１４４】
〔実施例２〕
本実施例に係るデジタル複写機１は、ハードディスク装置５０３に複数のプリントジョブが記憶管理されている状態でＩＤカードが検知された時に、該ＩＤカードに格納されているＩＤ番号を確認し、そのＩＤ番号に対応する複数のプリントジョブを所定の出力順序で出力処理することによって、プリントジョブ全体を効率よく出力させるものである。この場合の動作は、図８に示すフローチャートのようになる。
【０１４５】
上記図８のフローチャートは、図１に示すフローチャートとほぼ類似しているが、Ｓ５とＳ６との間に、確認されたＩＤ番号に基づいてプリントジョブの出力順位を確定するステップ（Ｓ５ａ）が設けられる点のみが異なる。上記Ｓ５ａでは、複数のプリントジョブが一覧表示された中から、所定の条件により、これらプリントジョブの処理順序が自動的に確定される。以下に、これらのプリントジョブを効率良く確実に出力（プリント）するための処理順序の確定方法について説明する。
【０１４６】
例えば、上記ハードディスク装置５０３において図６に示すプリントジョブが記憶管理されている場合に、ＩＤ番号「０１２１」のＩＤカードが検知されれば、該ＩＤ番号「０１２１」に対応するプリントジョブ２および３が選択され、この時、操作パネル１０３のＬＣＤ表示部１０４には図７に示すような表示がなされる。
【０１４７】
上記図７からも分かるように、ＩＤ番号「０１２１」に対応するプリントジョブは２つ続けて出力指示されている。この管理状況の中で、ＩＤ番号「０１２１」のユーザが確認されると、これらのプリントジョブを受け付けてからの経過時間により、プリントジョブをどの順番で出力処理していくかが確定される。すなわち、これら２つのプリントジョブの出力指示が出されてからＩＤ番号「０１２１」が検知されるまでの時間が、予め設定された所定時間よりも短ければ、両方のプリントジョブともにユーザが必要としているものとして、図７に示す表示画面においてユーザが『ＯＫ』キーを操作することにより、プリントジョブが受け付けられた順序で順次出力処理される。
【０１４８】
尚、上記経過時間の管理は、ハードディスク装置５０３とＣＰＵ４０１とによって行なわれるものであり、上記ハードディスク装置５０３およびＣＰＵ４０１が特許請求の範囲に記載の経過時間管理手段に相当する。また、出力制御はＣＰＵ４０１によって行なわれるものであり、上記ＣＰＵ４０１が、特許請求の範囲に記載の出力制御手段に相当する。
【０１４９】
一方、図６に示すプリントジョブが記憶管理リストにおいて、ＩＤ番号「０００９」のユーザは、２つのプリントジョブを出力指示しているものの２つの出力を指示した時間が離れていることがわかる。この状態で、ＩＤ番号「０００９」のユーザが確認されると、操作パネルの表示画面に図９に示すリストが一覧表示される。尚、上記ＩＤ番号が確認された時点で、この時、先に出力指示されているプリントジョブは予め設定された所定時間を超えており、後から出力指示されたプリントジョブは上記所定時間を超えていないものとする。
【０１５０】
ここで、図９に示す表示画面においてユーザが『ＯＫ』キーを操作すれば、後から出力指示されたプリントジョブの方が優先度が高いものとして優先的に出力処理される。このように、所定時間を超えていないプリントジョブを優先的に出力処理する理由は以下の通りである。
【０１５１】
すなわち、出力を指示してから所定時間内にユーザのＩＤ番号がが確認されたプリントジョブは、ユーザがその出力物を必要としている可能性が高いが、逆に、出力指示があってから所定時間以上経過した後にユーザが確認されたプリントジョブは、ユーザが必要としなくなった可能性もあるためである。
【０１５２】
そこで、ＩＤ番号「０００９」のユーザが確認された段階で、後から出力要求されたプリントジョブは『ＯＫ』キーと同時に出力が開始されるが、先に出力要求されているプリントジョブはこれに続けて出力処理することなく、ユーザに一度確認を求めるために一時的に停止するようにすれば、ユーザにとって必要なプリントのみを確実に得ることができる。
【０１５３】
また、他の方法として、出力指示されたプリントジョブの中で所定時間以上経過したものがあれば、ユーザのＩＤ番号が検知され出力が開始される前に、出力要求があってから所定時間経過しているプリントジョブの存在を表示し、それぞれのプリントジョブの出力処理を有効とするのか否かをユーザに確認を求めてから出力することも可能である。さらにこの時、出力指示されてから所定時間以上経過したプリントジョブが複数あれば、これらのプリントジョブの出力順序をユーザが設定可能なようにすることも可能である。
【０１５４】
さらに、ＩＤ番号が確認された段階で、そのＩＤ番号に対応するプリントジョブが複数存在する場合には、そのプリントジョブの出力順序決定条件の一つとして、デジタル複写機１において出力処理（記録）が可能なジョブから順次出力処理を行うようにすることも可能である。
【０１５５】
ここで、出力処理が可能か否かの判定条件としては、例えば、記録材（用紙）の種類（サイズ、紙質など）によって判定する方法がある。すなわち、装置の給紙カセットにセットされている記録材の特徴を確認した上で、プリントジョブとして指示された記録材の特徴と比較する。この時、プリントジョブとして指示された記録材が給紙カセットにセットされていないものがあれば、そのプリントジョブの出力は不可能であるので、出力処理が可能なその他のプリントジョブから順次出力していくようにすればよい。尚、記録材の特徴の確認方法などは、従来から公知の方法（給紙カセット毎に操作パネル上から予め登録しておく、複数のブロックを組み合わせて特徴を表す信号源を給紙カセットに設けておく、など）を用いることができる。
【０１５６】
また、この時、プリントジョブの出力順序決定条件として、上記の方法以外に、例えば、ユーザがプリント出力指示を行ってからの経過時間を管理しておき、所定時間以上経過したジョブの出力順位を下げたり、最新のジョブから順に処理するなど、他の複数の出力順序決定条件を組み合わせてプリントジョブの出力順位を決定することも可能である。
【０１５７】
本実施例に係るデジタル複写機１は、プリントジョブをＩＤ番号と共に記憶管理するためのハードディスク装置５０３と、プリントジョブに応じた画像を出力処理するレーザ記録部３２と、ＩＤ番号を確認して対応する前記プリントジョブの前記レーザ記録部３２による出力を許可し、出力を許可されたプリントジョブの出力処理順位を制御するＣＰＵ４０１とからなる構成とすることができる。
【０１５８】
これにより、ＩＤ番号に対応するプリントジョブが複数記憶管理されていたとしても、プリントジョブ全体を効率良く出力処理することができる。
【０１５９】
また、上記ＣＰＵ４０１は、プリントジョブの出力指示を受け付けてからの経過時間に基づいて、前記ハードディスク装置５０３に記憶管理されたプリントジョブを順次出力処理することにより、ＩＤ番号に対応するプリントジョブが複数記憶管理されていたとしても、ユーザが必要とするであろうプリントジョブを所定の順番で効率良く出力処理することができる。
【０１６０】
また、上記ＣＰＵ４０１は、ハードディスク装置５０３に記憶管理されているプリントジョブが所定時間内に受け付けたものであれば、受け付けた順番で出力処理する。これにより、ユーザは出力を希望するプリントジョブの出力物を確実に得ることが出来る。
【０１６１】
また、上記ＣＰＵ４０１は、ハードディスク装置５０３に記憶管理されているプリントジョブの中でも先に受け付けたプリントジョブとの差が所定時間以上の時は、最新のプリントジョブを優先的に出力処理する。これにより、ユーザが出力を希望する最新のプリントジョブの出力物を確実に得ることが出来る。
【０１６２】
また、上記ＣＰＵ４０１は、ハードディスク装置５０３に記憶管理されているプリントジョブが所定時間内に受け付けたものであれば出力を許可する。これにより、ユーザが出力を希望するプリントジョブの出力物を確実に得ることが出来る。
【０１６３】
また、上記ＣＰＵ４０１は、ハードディスク装置５０３に記憶管理されているプリントジョブが所定時間以上前に受け付けたものであれば出力を阻止（待機）する。これにより、ユーザが出力を希望するプリントジョブの出力物のみを確実に得ることが出来る。
【０１６４】
上記ＣＰＵ４０１は、確認されたＩＤ番号に対応する前記プリントジョブの中でも任意のプリントジョブについて画像の出力処理を行う。これにより、ＩＤ番号に対応するプリントジョブが複数記憶管理されていたとしても、この複数のプリントジョブの中でもユーザが必要とするものを任意に出力処理させることができる。
【０１６５】
上記ＣＰＵ４０１は、確認されたＩＤ番号に対応する前記プリントジョブの中でも装置として出力処理可能なプリントジョブから順に画像の出力処理を行う。これにより、ＩＤ番号に対応する複数のプリントジョブの中でも、出力処理が可能なプリントジョブから優先的に出力処理されるので、プリントジョブ全体を停滞させることなく効率良く出力処理することが可能となる。
【０１６６】
〔実施例３〕
本実施例に係るデジタル複写機１は、確認されたＩＤ番号に対するプリントジョブの出力中において新たなＩＤ番号が確認された場合に、出力処理中のプリントジョブと新たに確認されたＩＤ番号に対するプリントジョブとを並行して処理することによって、プリントジョブ全体を効率よく出力させるものである。
【０１６７】
上記デジタル複写機１では、確認されたＩＤ番号に対応するプリントジョブの出力処理中に、新たなＩＤ番号が上記移動体識別装置により確認されると、現在出力処理中のプリントジョブと並行して、新たに確認されたＩＤ番号に対応するプリントジョブ（以下、新たなプリントジョブ）の出力準備が行われる。
【０１６８】
ここで行われる出力準備としては、例えば、ハードディスク装置５０３に一時的に記憶管理されているデータを展開したり、新たなプリントジョブを出力処理するにあたって、記録用紙の有無、後処理装置（ステープル装置）の針の有無などを事前に確認して、現在処理しているプリントジョブの完了後、スムーズに引き続いて新たなプリントジョブを処理させることができるようにすることである。
【０１６９】
また、確認されたＩＤ番号に対するプリントジョブの出力中に新たなＩＤ番号が上記移動体識別装置により確認された場合、現在処理中のＩＤ番号に対するプリントジョブと、新たに確認されたＩＤ番号に対するプリントジョブとを含めて優先的に処理すべきプリントジョブを確定することも可能である。
【０１７０】
例えば、現在出力中のプリントジョブが大量のジョブであり、新たに確認されたＩＤ番号に対するプリントジョブが少量のジョブである場合等に、出力枚数の少ないプリントジョブを優先処理することができる。
【０１７１】
このプリントジョブの処理方法をとれば、現在、デジタル複写機１として確認されているユーザのＩＤ番号に対応するプリントジョブの範囲内で出力処理の優先順位を判別して出力処理することとなり、現時点で装置として出力処理すべきプリントジョブの中でも優先して処理すべきプリントジョブを確実に処理し、記録物をユーザに対して提供することができる。
【０１７２】
ここで、新たなプリントジョブを処理するにあたり不備な点が存在するならば、その旨をユーザに対して事前に案内して、記録用紙、後処理装置（ステープル装置）の針などを補充させることができる。
【０１７３】
さらに、確認されたＩＤ番号に対するプリントジョブの出力中に新たなＩＤ番号の存在が上記移動体識別装置により確認された場合において、先に確認されたＩＤ番号（すなわち、現在出力処理中のプリントジョブに対応するＩＤ番号）が確認できなければ、新たに確認されたＩＤ番号に対するプリントジョブを優先的に出力処理することも可能である。
【０１７４】
上記処理方法をとれば、現在、デジタル複写機１に確認されているユーザのＩＤ番号に対応するプリントジョブの出力処理を優先的に処理することとなり、その場にいるユーザに対して記録物を早急に提供することができる。
【０１７５】
本実施例に係るデジタル複写機１は、プリントジョブをＩＤ番号と共に記憶管理するためのハードディスク装置５０３と、プリントジョブに応じた画像を出力処理するレーザ記録部３２と、ＩＤ番号を確認して対応する前記プリントジョブの前記レーザ記録部３２による出力を許可し、出力を許可されたプリントジョブの出力処理を制御するＣＰＵ４０１とを備え、さらに前記ＣＰＵ４０１は、プリントジョブの出力処理中に新たなＩＤ番号が確認されると、並行して新たに確認されたＩＤ番号に対するプリントジョブの出力準備を行う構成とすることができる。
【０１７６】
これにより、現在出力されているプリントジョブの出力処理が完了した時点で、新たに確認されたＩＤ番号に対応するプリントジョブを続けて（効率良く）出力処理することができる。
【０１７７】
また、上記ＣＰＵ４０１は、プリントジョブの出力処理中に新たなＩＤ番号が確認されると、並行して新たに確認されたＩＤ番号に対するプリントジョブのデータを展開する。これにより、プリントジョブを出力処理する段階までデータを展開することなく記憶管理しているので、ハードディスク装置５０３を有効活用することができる。また、現在出力されているプリントジョブの出力処理が完了した時点で、新たに確認されたＩＤ番号に対応するプリントジョブを続けて（効率良く）出力処理することができる。
【０１７８】
また、上記ＣＰＵ４０１は、プリントジョブの出力処理中に新たなＩＤ番号が確認されると、確認されたＩＤ番号に対するプリントジョブが処理可能な状態にデジタル複写機１自身があるか確認して、不備な点があれば、例えばＬＣＤ表示部１０３において表示案内する。これにより、プリントジョブを出力処理するにあたり、用紙など不備な部分を処理開始前にユーザに対して案内することとなり、他のジョブを出力処理している間に対応（準備、補充）することができる。また、現在出力されているプリントジョブの出力処理が完了した時点で、新たに確認されたＩＤ情報に対応するプリントジョブを続けて（効率良く）出力処理することができる。
【０１７９】
また、本実施例に係るデジタル複写機１は、プリントジョブをＩＤ情報と共に記憶管理するためのハードディスク装置５０３と、プリントジョブに応じた画像を出力処理するレーザ記録部３２と、ＩＤ情報を確認して対応する前記プリントジョブの前記レーザ記録部３２による出力を許可し、出力を許可されたプリントジョブの出力処理を制御するＣＰＵ４０１とを備え、さらに前記ＣＰＵ４０１は、プリントジョブの出力処理中に新たなＩＤ情報が確認されると、現在処理中のＩＤ情報に対するプリントジョブと、新たに確認されたＩＤ情報に対するプリントジョブを含めて優先的に処理すべきプリントジョブを確定する構成とすることができる。
【０１８０】
これにより、プリントジョブを出力処理するにあたり、確認されているＩＤ情報に対応するプリントジョブの範囲内で出力処理の優先順位を判別して出力処理しているので、現時点で出力処理すべきプリントジョブの中で優先して処理すべきプリントジョブを確実に処理し、記録物をユーザに対して提供することができる。
【０１８１】
また、本実施例に係るデジタル複写機１は、プリントジョブをＩＤ情報と共に記憶管理するためのハードディスク装置５０３と、プリントジョブに応じた画像を出力処理するレーザ記録部３２と、ＩＤ情報を確認して対応する前記プリントジョブの前記レーザ記録部３２による出力を許可し、出力を許可されたプリントジョブの出力処理を制御するＣＰＵ４０１とを備え、さらに前記ＣＰＵ４０１は、確認されたＩＤ情報に対するプリントジョブの出力中に新たなＩＤ情報が確認されると、その時点で先に確認されたＩＤ情報が確認できなければ、新たに確認されたＩＤ情報に対するプリントジョブを優先的に出力処理する。
【０１８２】
これにより、プリントジョブを出力処理するにあたり、確認されているＩＤ情報に対応するプリントジョブの出力処理を優先的に処理しているので、その場にいるユーザに対して記録物を早急に提供することができる。
【０１８３】
〔実施例４〕
本実施例に係るデジタル複写機１は、確認されたＩＤ番号に対応するプリントジョブの出力を開始するまでに、他の動作モードの出力処理に関わる指示が確認されると、プリントモードでのプリントジョブの出力を一時的に停止して、ユーザが所望する状態で装置を利用できるようにするものである。
【０１８４】
また、本実施例に係るデジタル複写機１は、プリンタモードの他にコピーモードやファックスモードでの動作も可能であるため、プリントジョブの出力を指示しているユーザが他の目的でデジタル複写機１のところへ来る場合、すなわち、上記ユーザがプリントモード以外のモード（コピーモード、ファックスモード）でデジタル複写機１を利用しようとする場合もある。このような場合、上記ユーザにとっては、上記プリントジョブの出力よりも、コピーモードもしくはファックスモードでの処理を先に行いたい場合もある。
【０１８５】
そのため、上記デジタル複写機１は、ユーザのＩＤ番号に対応するプリントジョブの存在が確認された段階、もしくはプリントジョブの存在を確認している段階で、ユーザがデジタル複写機１の操作パネルから動作モードの指示を行えば、指示された動作モードでの処理を優先して行なう。上記動作を図１０のフローチャートを用いて説明する。
【０１８６】
まず、ユーザがデジタル複写機１に近づくと、図５に示した移動体識別装置により該ユーザのＩＤ番号が検出される（Ｓ１１）。上記デジタル複写機１は、この検出されたＩＤ番号に対応するプリントジョブがハードディスク装置５０３に管理されているか否かを確認する（Ｓ１２）。
【０１８７】
この時、上記ユーザが、プリンタモード以外、例えばコピーモードやファックスモードでの処理を行なおうとして、操作パネル上において動作モードを切り換える指示を行なうと、指示された動作モードでの処理が優先して行なわれる。例えば、ユーザがデジタル複写機１に近づくことによって、そのＩＤ番号が検出されると、図１１に示すように、該ＩＤ番号に対応するプリントジョブのリストが表示されるが、ここで、該ユーザが操作パネル上の動作モードキーを操作することによりユーザの所望する動作モードに切り替わる。
【０１８８】
ユーザが切り替えた動作モードがコピーモードであれば（Ｓ１３でＹＥＳ）、コピーモードによる処理が行なわれた（Ｓ１４、Ｓ１５）後、ユーザからのプリントジョブの出力指示を待つ状態（Ｓ１９）に移行する。また、ユーザが切り替えた動作モードがファックスモードであれば（Ｓ１６でＹＥＳ）、ファックスモードによる処理が行なわれた（Ｓ１７、Ｓ１８）後、同じく、ユーザからのプリントジョブの出力指示を待つ状態（Ｓ１９）に移行する。
【０１８９】
Ｓ１９において、ユーザが自己のＩＤ番号に対応するプリントジョブの出力指示を行なうと、該プリントジョブのリスト表示が行なわれ（Ｓ２０）、続いて、該プリントジョブの出力処理が行なわれる（Ｓ２１）。
【０１９０】
このとき、ユーザが指示した動作モードの操作画面に移行してもユーザのＩＤ番号に対応するプリントジョブが存在していれば、該プリントジョブのリストが常に案内表示されており、ユーザがＳ１９におけるプリントジョブの出力指示を行うことによって、例えば図９に示すようなユーザのＩＤ番号に対応するプリントジョブのリスト表示が行なわれる。これにより、ユーザは、デジタル複写機１を常に所望するモードで利用することが可能であり、また、そのユーザに対応するプリントジョブがあれば、そのプリントジョブの存在を常に案内することができる。
【０１９１】
また、ユーザに指示された動作モードが終了した段階で、プリンタモードへの切り替えが行なわれ、その後、ユーザによるプリントジョブの出力指示があれば、この出力指示によって上記ユーザのＩＤ番号に対応するプリントジョブが出力される。これにより、優先的に利用した動作モードでの処理が終わっても、装置が自動的にプリントジョブの出力を行なうことがないので、他の動作モードで出力された記録物と、プリントジョブの記録物とが混乱することもなく、ユーザに対して確実に記録物を提供することができる。
【０１９２】
本実施例に係るデジタル複写機１は、プリントジョブをＩＤ情報と共に記憶管理するためのハードディスク装置５０３と、プリントジョブに応じた画像を出力処理するレーザ記録部３２と、ＩＤ情報を確認して対応する前記プリントジョブの前記レーザ記録部３２による出力を許可し、出力を許可されたプリントジョブの出力処理を制御するＣＰＵ４０１とを備え、さらに前記ＣＰＵ４０１は、プリントジョブの出力を開始する前に、新たな画像に対する処理に関わる指示が確認されると、プリントジョブの出力処理を一時的に停止する構成とすることができる。これにより、利用者の所望する状態で装置が的確に動作することとなる。
【０１９３】
また、上記ＣＰＵ４０１は、プリントジョブの出力を開始する前に、新たな画像に対する処理に関わる指示が確認されると、新たな画像に対する処理を行うと共に、出力処理すべきプリントジョブが存在することをユーザに対し案内する。これにより、ユーザは、出力処理すべきプリントジョブの存在を確認することが出来る。また、処理されないプリントジョブとしてハードディスク装置５０３に蓄積されることも少なくなり、ハードディスク装置５０３を有効利用（最大限に活用）することができる。
【０１９４】
また、上記ＣＰＵ４０１は、プリントジョブの出力を開始する前に、新たな画像に対する処理に関わる指示が確認されると、新たな画像に対する処理を行うと共に、その後出力処理すべきプリントジョブに対する出力の指示が確認された段階でプリントジョブの出力を開始する。これにより、新たな画像に対する処理が確実に完了した段階でプリントジョブを出力処理することとなり、出力された記録物が混乱することもない。
【０１９５】
〔実施例５〕
本実施例に係るデジタル複写機１は、ＩＤ番号毎に過去の画像出力タイミング（プリントジョブを受け付けてからＩＤ番号が確認されるまでの時間）を統計情報として管理しておき、装置として記憶管理しているプリントジョブデータを出力しなければならない状況となったときに、これまでの出力状況に応じてプリントジョブの画像出力タイミングを確定して出力するものである。
【０１９６】
つまり、上記デジタル複写機１は、検知されたＩＤ番号に対応するプリントジョブがハードディスク装置５０３に記憶されているか否か確認を行い、このようなプリントジョブが存在すればデジタル複写機１の記録部から画像として記録再現すると共に、この時の出力指示から出力完了までの経過を履歴情報として管理する。以下に説明する出力処理制御は、この履歴情報を適切な出力タイミングを確定するために活用するものである。
【０１９７】
尚、上記統計情報の管理は、ハードディスク装置５０３とＣＰＵ４０１とによって行なわれるものであり、上記ハードディスク装置５０３およびＣＰＵ４０１が特許請求の範囲に記載の統計情報管理手段に相当する。
【０１９８】
ここで、複数のＩＤ番号が確認され、さらにこの複数のＩＤ番号についてそれぞれ対応するプリントジョブの存在が確認された場合、過去のプリントジョブの出力処理状況に応じてどちら側のＩＤ番号に対するプリントジョブを優先的に処理するか確定する方法について説明する。
【０１９９】
上記履歴情報としては、確認されたＩＤ番号のユーザが、プリントジョブの出力を指示してから複写機のところに来るまでの時間（複写機の移動体識別装置がＩＤ番号を確認するまでの時間）が、図１２にあるようにＩＤ番号と対応させて管理されている。上記図１３は、ＩＤ番号「００４２」のユーザに関する情報であり、５つのプリントジョブについて管理されている。
【０２００】
このように、本実施例に係るデジタル複写機１では、各ユーザについてジョブ毎の受付時刻と出力時刻（受取時刻）とが統計的に管理され、各ジョブについてその受付時刻と受取時刻とが記録されることにより、印字要求が出されてからユーザがその出力物を受取に来るまでの時間（以下、受取時間）が求められる。これによって、各ユーザ毎に、平均的な出力物の受取時間（以下、平均受取時間）が算出される。そして、複数のＩＤ番号が確認され、さらにこの複数のＩＤ番号についてそれぞれ対応するプリントジョブの存在が確認された場合、この管理されているこれまでの履歴情報に基づいて、上記平均受取時間の短いユーザ順に出力の優先順位を確定して出力処理する。
【０２０１】
また、プリントジョブを記憶管理するハードディスク装置５０３の記憶容量にも限界があるので、記憶されているジョブが容量の限界近くになると、新たなプリントジョブの出力指示がなされてもこれを記憶できない場合が起こりうる。そこで、ハードディスク装置５０３の記憶容量が一杯になったとき、あるいは所定容量に達したときには、ＩＤ番号の確認が無くても、所定容量の記憶領域が確保できるまで、記憶管理されているプリントジョブを自動的に出力する。
【０２０２】
この時も、記憶されているジョブのＩＤ番号に対応する過去の出力履歴情報を比較し、平均受取時間が最も早いジョブから優先的に出力を行うようにする。これにより、ＩＤ番号が確認される前に画像を出力すべき状態となったとしても、プリントジョブの中でも適切と思われるものから順次出力することができる。
【０２０３】
本実施例に係るデジタル複写機１は、少なくともひとつのプリントジョブをＩＤ情報と共に記憶管理するためのハードディスク装置５０３と、プリントジョブに応じた画像を出力処理するレーザ記録部３２と、ＩＤ情報を確認して対応する前記プリントジョブの前記レーザ記録部３２による出力を許可するための許可手段（ＣＰＵ４０１）と、上記ハードディスク装置５０３がプリントジョブを受け入れてから前記許可手段によりプリントジョブの出力を許可するまでの経過時間をＩＤ情報と共に管理して統計をとるための統計手段（ハードディスク装置５０３およびＣＰＵ４０１）と、複数のプリントジョブを出力する状態となった場合、前記統計手段により管理されているＩＤ情報毎の統計に基づいてプリントジョブの出力順位を制御する制御手段（ＣＰＵ４０１）とからなる構成とすることができる。
【０２０４】
これにより、ＩＤ情報単位のこれまでの出力処理の状況に基づいてプリントジョブを出力処理することとなり、結果として複数のプリントジョブを停滞させることなく効率良く出力処理させることが可能となる。
【０２０５】
また、上記制御手段は、許可手段により複数のＩＤ情報とプリントジョブが確認されたとき、上記統計手段により管理されている統計情報に基づいてプリントジョブの出力順位を制御する。これにより、ＩＤ情報単位のこれまでの出力処理の状況に基づいてプリントジョブを出力処理することとなり、複数のプリントジョブの出力指示が重なった場合でも、プリントジョブの優先処理順位を適切に設定し、結果として複数のプリントジョブを停滞させることなく効率良く出力処理させることが可能となる。
【０２０６】
また、上記制御手段は、ハードディスク装置５０３における記憶容量が所定レベルに達したとき、上記統計手段により管理されている統計情報に基づいてプリントジョブの出力順位を制御する。これにより、ＩＤ情報単位のこれまでの出力処理の状況に基づいてプリントジョブを出力処理することとなり、複数のプリントジョブの出力指示が重なった場合でも、プリントジョブの優先処理順位を適切に設定し、結果として複数のプリントジョブを停滞させることなく効率良く出力処理させることが可能となる。また、記録装置の容量が所定レベルに達すると、新たなプリントジョブの出力指示を受け入れるための準備（処理領域の確保）を行うので、新たな指示を拒否することもなく、すべてのプリントジョブを確実に処理することができる。
【０２０７】
〔実施例６〕
本実施例に係るデジタル複写機１は、ＩＤ番号毎に、過去の受け取りタイミング（プリントジョブを受け付けてからＩＤ番号を確認するまでの時間）を統計情報として管理しておき、これまでの確認（受け取り）状況に応じてプリントジョブの画像出力タイミングを確定して出力処理するものである。
【０２０８】
上記デジタル複写機１では、印字要求の出された画像データは、デジタル複写機１に送られた後すぐには出力されず、一旦複写機内のハードディスク装置５０３に記憶される。この時、上記画像データがデジタル複写機１に入力された時刻が、受付時刻として記録される。そして、受け付けたプリントジョブを所定のタイミング（最初はその他のプリントジョブとの関係を考慮しながら処理順位を確定しておき、以降出力された出力物を受け取りにくる履歴情報により出力処理タイミングを確定する。）でもって出力処理する。
【０２０９】
上記デジタル複写機１は、ユーザが近づいてくることによってＩＤカードを検知すると、そのＩＤ番号を読み取り、そのＩＤ番号を管理されているプリントジョブと照合する。この時、検知されたＩＤ番号に該当するプリントジョブがあれば、本デジタル複写機１は、ユーザが印字要求のあった画像の出力物を受取に来たものと判断し、上記ＩＤデータの検知時刻を受取時刻として、該ＩＤ番号に対応させて受付時刻を過去の状況と共に履歴情報として管理する。
【０２１０】
このように、各ジョブについてその受付時刻と受取時刻とが記録されることにより、印字要求が出されてからユーザがその出力物を受取に来るまでの時間（以下、受取時間）が求められる。これにより、図１３に示すように、過去に印字依頼を行ったジョブについての受取時間が統計として各ユーザ毎に管理される。このような受取時間の統計結果から、これの平均を取ることによって、該ユーザが印字要求を出してから、その出力物を実際に受取に行くまでの平均時間（平均受取時間）が算出できる。上記平均受取時間が算出されれば、該ユーザが新たなジョブに関して印字要求を出した時に、その受付時刻に上記平均受取時間を加算することにより、ユーザにその出力物を受取に行くであろうと予測される時刻（推定受取時刻）が算出できる。
【０２１１】
本実施例に係るデジタル複写機１は、上記推定受取時刻に基づいてプリントジョブの出力を制御する。具体的には、あるジョブについてそれが推定受取時刻に到達した時点でジョブの出力を開始する方法と、推定受取時刻に到達した時点でジョブの出力を完了させる方法とがある。
【０２１２】
このように、上記推定受取時刻を算出して、これに基づいてプリントジョブの出力を制御することにより、プリント出力された出力物が排出部に放置されたままとなる期間を短くすることができ、出力部において複数の放置されたままの出力物が混在するといった不都合を抑制することができる。
【０２１３】
尚、推定受取時刻に到達した時点でジョブの出力を開始する場合、制御部はジョブの印字要求が出されてから、そのジョブが推定受取時刻に到達するまでの時間を監視するのみでよく、簡単な制御で効率のよい出力処理が行える。
【０２１４】
また、推定受取時刻に到達した時点でジョブの出力を完了させる場合、制御部はジョブの内容に基づいてプリント出力に要する時間を求め、この時間を考慮してプリント出力命令を出す必要がある。このため、制御部の負担は増加するが、ユーザが出力物を受け取りにいった時には、既に出力が終了している可能性が高くなり、ユーザにとっての利便性が良くなる。
【０２１５】
さらに、過去の履歴情報に基づいてプリントジョブの画像の出力を処理しているが、場合によってはプリントジョブの出力が開始、もしくは完了していないことも考えられる。このような時は、ＩＤ番号を検知した時点でそのＩＤ番号に対応するプリントジョブをハードディスク装置から読み出して優先的に出力処理するようにする。
【０２１６】
この時、まだ出力が完了していないことを利用者に伝えた上で、デジタル複写機１が待機していれば、対応するプリントジョブの出力を開始し、他のプリントジョブを出力処理しているのであれば、他のプリントジョブの出力を考慮した上で、他のプリントジョブに対して割り込ませたり、他のプリントジョブの出力が完了した時点で対応するプリントジョブの出力を開始することができる。
【０２１７】
さらにまた、プリントジョブの出力された出力物は、プリントジョブ毎に違いが明確となるように、複数の収容トレイを備えたソータなどの仕分け装置により分類収容されるものとすれば、出力を指示した利用者が、自分の出力物を簡単に見分ける（受け取る）ことができる。
【０２１８】
本実施例に係るデジタル複写機１は、少なくともひとつのプリントジョブをＩＤ情報と共に記憶管理するためのハードディスク装置５０３と、プリントジョブに応じた画像を出力処理するレーザ記録部３２と、ＩＤ情報を確認して前記プリントジョブの出力物の受け取りを監視する移動体識別装置と、上記ハードディスク装置５０３がプリントジョブを受け入れてから前記移動体識別装置によりプリントジョブの出力物の受け取りが確認されるまでの経過時間をＩＤ情報と共に管理して統計をとるための統計手段（ハードディスク装置５０３およびＣＰＵ４０１）と、前記統計手段により管理されているＩＤ情報毎の統計に基づいてプリントジョブの出力処理を制御する制御手段（ＣＰＵ４０１）とからなる構成とすることができる。
【０２１９】
これにより、ＩＤ情報単位のこれまでの出力処理の状況に基づいてプリントジョブを出力処理することとなり、プリントジョブを適切なタイミングで効率良く出力処理することができる。また、装置から出力された出力物で出力部が一杯になり、他の出力物との区別が困難となって、目的の出力物が分かりにくくなってしまうといったことも回避できる。
【０２２０】
また、上記制御手段は、統計手段により管理されている時間情報に達すると、プリントジョブの上記レーザ記録部３２による出力を許可する。これにより、ＩＤ情報単位のこれまでの出力処理の状況に基づいてプリントジョブを出力処理することとなり、プリントジョブを適切なタイミングで効率良く出力処理することができる。
【０２２１】
また、上記制御手段は、統計手段により管理されている時間情報の頃に、プリントジョブの上記レーザ記録部３２による出力を完了させる。これにより、ＩＤ情報単位のこれまでの出力処理の状況に基づいてプリントジョブを出力完了することとなり、プリントジョブを適切なタイミングで効率良く出力処理することができる。
【０２２２】
また、上記制御手段は、さらに、確認されたＩＤ情報に対応するプリントジョブの出力が開始されていなければ、その時点で対応するプリントジョブの出力処理を優先的に開始する。これにより、ＩＤ情報単位のこれまでの出力処理の状況に基づいてプリントジョブを出力処理するものの、出力開始前に利用者が出力物を受け取りに来たとしても、待たせることなくその場で出力物を提供することができる。
【０２２３】
〔実施例７〕
本実施例に係るデジタル複写機１は、ネットワーク環境下にある外部機器に対して原稿画像を送信するスキャナモードが指示されると、ユーザのＩＤ番号に基づいて、入力された画像情報の転送の制御を行うものである。
【０２２４】
本実施例において、各ユーザが使用するパソコンは各ユーザ毎に特定されており、上記デジタル複写機１は、各ユーザのＩＤ番号と各ユーザの使用するパソコンのアドレスとを対応させてハードディスク装置（送信先ＩＤ格納手段）５０３において管理している。ユーザがデジタル複写機１のスキャナ部（読取手段）３１で原稿を読み取り、読み取った画像データをパソコンに転送しようとする場合には、上記デジタル複写機１はＩＤカードより該ユーザのＩＤ番号を確認し、そのＩＤ番号と対応して記憶されているパソコンを転送先として画像データの転送を行う。これにより、ユーザは、スキャナモード時においてパネル入力等による送信先パソコンの指定等の処理が不要となり、操作性を向上させることができる。尚、本実施例における画像データの送信制御は、ＣＰＵ４０１によって行なわれるものであり、上記ＣＰＵ４０１が特許請求の範囲に記載の送信制御手段に相当する。
【０２２５】
また、上記デジタル複写機１は、スキャナ部３１で読み取った原稿の画像データをパソコン等の外部機器に転送する際に、同時に、ＩＤカードから読み取ったユーザのＩＤ番号を併せて送信する。これは、例えば、あるパソコンを送信先として登録されているユーザが複数存在する場合に、パソコン側において誰からの転送画像かを確認することができる。
【０２２６】
また、上記デジタル複写機１は、スキャナ部３１で読み取った原稿の画像データをパソコンに転送する際に、ＩＤカードから読み取ったユーザのＩＤ番号に基づいて画像情報の送信先を確定すると、その確定された送信先情報を、表示パネル等において表示する。これにより、自動的に確定される画像情報の送信先をユーザに対して確認させることができ、誤った送信先への送信を防止できる。
【０２２７】
尚、複写機が送信先を誤って設定するような場合は、例えば、原稿送信依頼をしたユーザのＩＤ番号が読み取れず（カード未携帯等）、偶然近くにいた他のユーザのＩＤ番号が読み取られる場合等があり得る。
【０２２８】
また、上記デジタル複写機１は、ＩＤカードから読み取ったユーザのＩＤ番号に基づいて画像情報の送信先を確定する第１の送信先確定モードと、指示された送信先を画像情報の送信先として確定する第２の送信先確定モードとを有し、ユーザがこれらの送信先確定モードを任意に選択できるようにする。
【０２２９】
これは、すなわち、ユーザがスキャナ部３１で読み取った原稿の画像データの第三者に送信したい場合もあり得るわけで、上記第２の送信先確定モードによって、このような場合に対応しようとするものである。また、ユーザがＩＤカードを未携帯であった場合等にも上記第２の送信先確定モードによる画像データの転送が可能となる。
【０２３０】
また、上記デジタル複写機１が、複数のＩＤ番号を同時に感知した場合には、これらのＩＤ番号に対応する全ての送信先を表示パネル等に選択可能に表示し、ユーザの選択入力によって送信先を確定するようにする。
【０２３１】
また、上記デジタル複写機１は、スキャナ部３１による読み取りが行われた時、読み取った原稿データをすぐには送信せず、ＩＤ番号と対応させて一旦記憶する。そして、上記読み取りを行わせたユーザがパソコン等の外部装置から転送要求を出した時に、ＩＤ番号を確認してから転送を要求してきた外部装置に対して画像情報を転送する。
【０２３２】
これは、１台のパソコンを複数のユーザで共有している場合などに、他のユーザに上記画像データが自由に見られないようにするプロテクト機能を持たせるためである。また、原稿をセットしたユーザのＩＤ番号と共に原稿画像を管理して、このＩＤ番号に基づいて転送を行うことにより、原稿画像が他の装置に転送されることのないように防止することもできる。
【０２３３】
また、上記デジタル複写機１は、スキャナ部３１による読み取りが行われたとき、読み取った原稿画像データをハードディスク装置５０３などの記憶部に記憶させておく。そして、ＩＤ番号を保持するＩＤカードの存在が確認できなくなった段階で、原稿画像データと共に記憶管理するＩＤ番号として確定する。
【０２３４】
これは、利用者が原稿の画像を読み取らせた後に原稿を持ち去ったことを自動的に認識して、原稿画像と共にＩＤ番号を管理するものである。
【０２３５】
これにより、デジタル複写機１は、これ以上の原稿画像の読み取りがないものとして原稿画像の読み取り（入力）モードを自動的に完了するので、利用者の操作性を向上させることができる。
【０２３６】
また、上記デジタル複写機１は、スキャナ部３１による読み取りが行われたとき、読み取った原稿画像データをハードディスク装置５０３などの記憶部に記憶させておく。そして、ＩＤ番号を保持するＩＤカードの存在が確認できなくなった段階で、原稿画像データと共に記憶管理するＩＤ番号として確定させ、その後、管理されている情報をＩＤ番号に対応する送信先装置に対して送信する。
【０２３７】
これにより、上記デジタル複写機１は、これ以上の原稿画像の読み取りがないものとして自動的にＩＤ番号から送信相手先を確定して送信するので、利用者の操作性を向上させることができる。
【０２３８】
また、上記デジタル複写機１は、スキャナ部３１による読み取りが行われたとき、読み取った原稿画像データをハードディスク装置５０３などの記憶部に記憶させておく。そして、ＩＤ番号を保持するＩＤカードの存在が複数確認されている中で、その後（直後）確認できなくなったＩＤ番号を、原稿画像データと共に記憶管理するＩＤ番号として確定させる。
【０２３９】
これにより、複数の利用者が装置の周辺に存在していても、読み取った画像情報を適切なＩＤ番号として共に管理することができる。
【図面の簡単な説明】
【０２４０】
【図１】本発明の一実施形態を示すものであり、実施例１に係るデジタル複写機の動作を示すフローチャートである。
【図２】本発明に係るデジタル複写機の構成例を示す断面図である。
【図３】上記デジタル複写機が接続されているネートワーク環境を示す説明図である。
【図４】上記デジタル複写機に備えられた、画像処理部における回路構成を示すブロック図である。
【図５】上記デジタル複写機に備えられる質問器とユーザが携帯する応答器とからなる移動体識別装置の構成を示すブロック図である。
【図６】上記デジタル複写機のハードディスク装置において蓄積されるプリントジョブの管理テーブルを示す説明図である。
【図７】ユーザのＩＤカードが検知された時に、該ユーザに対する案内表示画面の一例を示す説明図である。
【図８】本発明の他の実施形態を示すものであり、実施例２に係るデジタル複写機の動作を示すフローチャートである。
【図９】ユーザのＩＤカードが検知された時に、該ユーザに対する案内表示画面の一例を示す説明図である。
【図１０】本発明のさらに他の実施形態を示すものであり、実施例４に係るデジタル複写機の動作を示すフローチャートである。
【図１１】ユーザのＩＤカードが検知された時の該ユーザに対する案内表示画面を含む操作パネルを示す説明図である。
【図１２】実施例５に係るデジタル複写機において、統計管理される全てのプリントジョブに関するジョブリストを示す説明図である。
【図１３】上記デジタル複写機において、特定のユーザに関するジョブリストを示す説明図である。
【符号の説明】
【０２４１】
１    デジタル複写機（画像出力処理装置）
２    パソコン（外部機器）
３１    スキャナ部（読取手段）
６０    質問器（移動体識別手段）
７０    応答器（移動体識別手段）
１０３    操作パネル（選択手段）
１０４    ＬＣＤ表示部（表示手段）
４０１    ＣＰＵ（許可手段、出力無効手段、経過時間管理手段、出力制御手段
、統計情報管理手段、送信制御手段）
５０３    ハードディスク装置（記憶管理手段、経過時間管理手段、統計情報管
理手段、送信先ＩＤ格納手段）
【図１】
0003706116.tif 000002
【図２】
0003706116.tif 000003
【図３】
0003706116.tif 000004
【図４】
0003706116.tif 000005
【図５】
0003706116.tif 000006
【図６】
0003706116.tif 000007
【図７】
0003706116.tif 000008
【図８】
0003706116.tif 000009
【図９】
0003706116.tif 000010
【図１０】
0003706116.tif 000011
【図１１】
0003706116.tif 000012
【図１２】
0003706116.tif 000013
【図１３】
0003706116.tif 000014